(57)【要約】      （修正有）【課題】予めリンク等が設定されていないコンテンツ内の情報を容易にユーザが入力することが出来る情報入力装置を提供する。【解決手段】ユーザが、ドットパターン３と共にコンテンツが印刷された媒体１ａや表示されたディスプレイ上をスキャナ４によりタッチすると、ドキュメントＩＤとタッチ位置のＸＹ座標値が読み込まれる。該コンテンツは、予めＤＴＰデータとして用意されている。複数のＤＴＰデータから、読み込まれたドキュメントＩＤに対応したＤＴＰデータが選択される。座標変換部がＸＹ座標値を該ＤＴＰデータ上のｘｙ座標値に変換する。特定情報選択部が該ＤＴＰデータ内を構文解析・画像解析し、タッチ位置のｘｙ座標値から、所定のアルゴリズムにより、ＤＴＰデータ内の、ユーザが指示した構成要素を、入力として認識する。【選択図】図１
2012022415.tif 000002
【特許請求の範囲】
【請求項１】
DTPデータ、HTML、フラッシュ、CADデータ、地図データ等であって、媒体に印刷するための２次元書式情報を対象とし、テキスト、図表、イラスト、写真等として可視化される情報のうち、所定の基準に該当する情報を特定情報として予め定めて書式化し、種々のマルチメディア情報出力および／またはオペレーション指示のため、該媒体の表面上に、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列したストリームドットパターンを複数並べて形成すると共に、前記２次元書式情報が印刷された媒体上において、可視化された前記特定情報を、ユーザが所定の操作により指定する際に、前記媒体上をタッチするために用いられ、タッチ位置のドットパターンを読み込むドットパターン読み取り手段と、
入力された、前記２次元書式情報を識別するための識別情報を用いて、予め保管している１または２以上の前記２次元書式情報の中から該識別情報に対応した前記２次元書式情報を選択する２次元書式情報保管選択手段と、
前記タッチ位置のドットパターンのＸＹ座標系における座標値（Ｘｔ，Ｙｔ）を、前記２次元書式情報のｘｙ座標系における座標値（ｘｔ，ｙｔ）に変換する座標変換手段と、
前記２次元書式情報のｘｙ座標系において、前記特定情報の位置を特定するために、該特定情報をレイアウトして印刷する際に定まる、前記２次元書式情報のｘｙ座標系における座標値（ｘｉ，ｙｉ）を選択用位置情報として用い、
前記タッチ位置のドットパターンの座標値（Ｘｔ，Ｙｔ）から変換された、前記２次元書式情報のｘｙ座標系における座標値（ｘｔ，ｙｔ）から、所定の距離内の、１または２以上の選択用位置情報までの距離を計算し、最も近い該選択用位置情報の座標を有する特定情報を、自装置への入力として選択する特定情報選択手段と、
を備えた情報入力装置。
【請求項２】
DTPデータ、HTML、フラッシュ、CADデータ、地図データ等であって、ディスプレイに表示するための２次元書式情報を対象とし、テキスト、図表、イラスト、写真等として可視化される情報のうち、所定の基準に該当する情報を特定情報として予め定めて書式化し、種々のマルチメディア情報出力および／またはオペレーション指示のため、該ディスプレイの表面上に、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列したストリームドットパターンを複数並べて形成すると共に、前記２次元書式情報が表示されるディスプレイと、
前記ディスプレイ上において、可視化された前記特定情報を、ユーザが所定の操作により指定する際に、前記ディスプレイ上をタッチするために用いられ、タッチ位置のドットパターンを読み込むドットパターン読み取り手段と、
入力された、前記２次元書式情報を識別するための識別情報を用いて、予め保管している１または２以上の前記２次元書式情報の中から該識別情報に対応した前記２次元書式情報を選択する２次元書式情報保管選択手段と、
前記タッチ位置のドットパターンのＸＹ座標系における座標値（Ｘｔ，Ｙｔ）を、前記２次元書式情報のｘｙ座標系における座標値（ｘｔ，ｙｔ）に変換する座標変換手段と、
前記２次元書式情報のｘｙ座標系において、前記特定情報の位置を特定するために、該特定情報をディスプレイに表示する際に定まる、前記２次元書式情報のｘｙ座標系における（ｘｉ，ｙｉ）を選択用位置情報として用い、
前記タッチ位置のドットパターンの座標値（Ｘｔ，Ｙｔ）から変換された、前記２次元書式情報のｘｙ座標系における座標値（ｘｔ，ｙｔ）から、所定の距離内の、１または２以上の選択用位置情報までの距離を計算し、最も近い該選択用位置情報の座標を有する特定情報を、自装置への入力として選択する特定情報選択手段と、
を備えた情報入力装置。
【請求項３】
前記識別情報は、
前記媒体上に印刷または前記ディスプレイ上に表示された前記ドットパターンの前記コード値であり、
前記ドットパターンのＸＹ座標値が印刷または表示されている領域の少なくとも一部に、該ドットパターンのＸＹ座標値と共に印刷または表示されるか、
または
該領域とは異なる領域に印刷または表示される
ことを特徴とする、請求項１または２に記載の情報入力装置。
【請求項４】
前記識別情報は、
前記２次元書式情報を一意に識別する、前記ドットパターンのＸＹ座標値であり、
該ＸＹ座標値は、
前記ドットパターンのＸＹ座標値が印刷または表示される領域の全体に印刷または表示される
ことを特徴とする、請求項１または２に記載の情報入力装置。
【請求項５】
前記ディスプレイは、
前記ドットパターン読み取り手段が備えた赤外線照射手段から照射された赤外線を
前記ドットパターンのドット部が吸収または透過する構造であり、
前記ドット部を除く領域は、
前記赤外線を拡散反射する構造である
ことを特徴とする、請求項２に記載の情報入力装置。
【請求項６】
種々のマルチメディア情報出力および／またはオペレーション指示のため、情報入力補助シートの表面上に、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列したストリームドットパターンを複数並べて形成して印刷され、
DTPデータ、HTML、フラッシュ、CADデータ、地図データ等であって、媒体に印刷、またはディスプレイに表示するための２次元書式情報を対象とし、テキスト、図表、イラスト、写真等として可視化される情報のうち、所定の基準に該当する情報を特定情報として予め定めて書式化し、
前記２次元書式情報が、印刷された媒体上または表示されるディスプレイ上に、配置または貼付された前記情報入力補助シートと、
前記媒体または前記ディスプレイ上において、可視化された前記特定情報を、ユーザが所定の操作により指定する際に、前記情報入力補助シートを透して、前記媒体または前記ディスプレイ上をタッチするために用いられ、タッチ位置のドットパターンを読み込むドットパターン読み取り手段と、
入力された、前記２次元書式情報を識別するための識別情報を用いて、予め保管している１または２以上の前記２次元書式情報の中から該識別情報に対応した前記２次元書式情報を選択する２次元書式情報保管選択手段と、
前記タッチ位置のドットパターンのＸＹ座標系における座標値（Ｘｔ，Ｙｔ）を、前記２次元書式情報のｘｙ座標系における座標値（ｘｔ，ｙｔ）に変換する座標変換手段と、
前記２次元書式情報のｘｙ座標系において、前記特定情報の位置を特定するために、該特定情報をレイアウトして印刷する際に定まる、または、該特定情報をディスプレイに表示する際に定まる、前記２次元書式情報のｘｙ座標系における（ｘｉ，ｙｉ）を選択用位置情報として用い、
前記タッチ位置のドットパターンの座標値（Ｘｔ，Ｙｔ）から変換された、前記２次元書式情報のｘｙ座標系における座標値（ｘｔ，ｙｔ）から、所定の距離内の、１または２以上の選択用位置情報までの距離を計算し、最も近い該選択用位置情報の座標を有する特定情報を、自装置への入力として選択する特定情報選択手段と、
を備えた情報入力装置。
【請求項７】
前記情報入力補助シートには、
前記媒体上に印刷されたまたは前記ディスプレイ上に表示された前記２次元書式情報を特定するためのインデックスを、ユーザが入力するための複数のアイコンが、前記ドットパターンと共に印刷されており、
前記２次元書式情報保管選択手段は、
前記ドットパターン読み取り手段を用いて該アイコンがタッチされることにより入力された該インデックスを前記識別情報に変換し、変換された該識別情報を用いて、前記２次元書式情報を選択する
ことを特徴とする、請求項６に記載の情報入力装置。
【請求項８】
前記所定の操作は、
ユーザが、前記ドットパターン読み取り手段を用いて、可視化された前記特定情報にタッチする、または、タッチし該特定情報上をなぞる操作であることを特徴とする、請求項１または２、６のいずれかに記載の情報入力装置。
【請求項９】
前記所定の操作は、
ユーザが、前記ドットパターン読み取り手段を用いて、可視化された前記特定情報にタッチし、該特定情報が表示された領域をなぞって囲む操作であることを特徴とする、請求項１または２、６のいずれかに記載の情報入力装置。
【請求項１０】
前記特定情報は、
該特定情報が、１つの語句でありかつ該語句を構成する文字間が離れている場合、
該文字ごとに、前記選択用位置情報を有し、
該特定情報が、１つの図表、イラスト、写真等でありかつこれらを構成するオブジェクトが複数ある場合、
該オブジェクトごとに、前記選択用位置情報を有する
ことを特徴とする、請求項１または２、６のいずれかに記載に記載の情報入力装置。
【請求項１１】
前記選択用位置情報は、
特定情報である語句または該語句を構成する各文字の中心座標値であるか、
または
特定情報である図表、イラスト、写真等、またはそれらを構成するオブジェクトの図心座標値である
ことを特徴とする、請求項１または２、６のいずれかに記載に記載の情報入力装置。
【請求項１２】
前記選択用位置情報は、
特定情報である語句または該語句を構成する各文字の高さ方向の、中央または任意の位置における該語句または該文字の幅を示す線分の、始点座標値（ｘｉ１，ｙｉ１）および終点座標値（ｘｉ２，ｙｉ２）の組み合わせであり、
前記特定情報選択手段は、
前記タッチ位置の座標値（ｘｔ，ｙｔ）から該線分までの距離が、任意の距離内でありかつ最も近い線分を有する前記特定情報を選択する
ことを特徴とする、請求項１または２、６のいずれかに記載に記載の情報入力装置。
【請求項１３】
前記特定情報選択手段は、
前記２次元書式情報において、所定のアルゴリズムにより、タッチ位置の前記座標値（ｘｔ，ｙｔ）から任意の距離内にあるテキストの構文解析、および／または、図形、イラスト、写真等のファイル検索および／または画像解析を行うことにより、１または２以上の前記特定情報を認識し、
該特定情報の前記選択用位置情報を所定のアルゴリズムにより算定し、
前記座標値（ｘｔ，ｙｔ）と、認識した該特定情報と、算定した該選択用位置情報とから、前記特定情報を選択する
ことを特徴とする請求項１または２、６のいずれかに記載の情報入力装置。
【請求項１４】
前記特定情報は、
前記２次元書式情報に含まれる、テキストの構文解析、および／または、図形、イラスト、写真等の、ファイル検索および／または画像解析を行うことにより、予め特定され、
該特定情報の前記選択用位置情報は、
所定のアルゴリズムにより予め算定され、
該２次元書式情報には、
該特定情報と該選択用位置情報とが記録されている
ことを特徴とする請求項１または２、６のいずれかに記載の情報入力装置。
【請求項１５】
前記２次元書式情報は、
ＣＡＤにより描かれた、前記特定情報としての、テキスト、および／または、点、線分、平面、立体物を有した図形であることを特徴とする請求項１または２、６のいずれかに記載の情報入力装置。
【請求項１６】
前記２次元書式情報は、
地図データであり、
該地図データは、テキスト、道路、地物、交差点等のカテゴリに分類された特定情報を有しており、
該特定情報は、道路により囲まれた領域、地物領域、道路中心線、および地物図心を選択用位置情報として有する
ことを特徴とする請求項１または２、６のいずれかに記載の情報入力装置。
【請求項１７】
請求項１記載の情報入力装置と、２次元書式情報サーバと、これらを接続するネットワークとから構成される情報入力システムであって、
前記情報入力装置は、前記２次元書式情報保管選択手段に替えて、
入力された、前記２次元書式情報を識別するための識別情報を、前記２次元書式情報サーバに送信し、該識別情報に対応した２次元書式情報を前記２次元書式情報サーバから受信するための通信手段を備え、
前記２次元書式情報サーバは、
前記情報入力装置から受信した、前記識別情報を用いて、予め保管している１または２以上の前記２次元書式情報の中から該識別情報に対応した２次元書式情報を選択する２次元書式情報保管選択手段と、
前記識別情報を前記情報入力装置から受信し、選択された該２次元書式情報を該情報入力装置へ送信する通信手段と
を備えた、情報入力システム。
【請求項１８】
請求項２記載の情報入力装置と、２次元書式情報サーバと、これらを接続するネットワークとから構成される情報入力システムであって、  前記情報入力装置は、前記２次元書式情報保管選択手段に替えて、
入力された、前記２次元書式情報を識別するための識別情報を、前記２次元書式情報サーバに送信し、該識別情報に対応した２次元書式情報を前記２次元書式情報サーバから受信するための通信手段を備え、
前記２次元書式情報サーバは、
前記情報入力装置から受信した、前記識別情報を用いて、予め保管している１または２以上の前記２次元書式情報の中から該識別情報に対応した２次元書式情報を選択する２次元書式情報保管選択手段と、
前記識別情報を前記情報入力装置から受信し、選択された該２次元書式情報を該情報入力装置へ送信する通信手段と
を備えた、情報入力システム。
【請求項１９】
請求項１記載の情報入力装置と、２次元書式情報サーバと、これらを接続するネットワークとから構成される情報入力システムであって、  前記情報入力装置は、前記２次元書式情報保管選択手段に替えて、
入力された、前記２次元書式情報を識別するための識別情報を、前記２次元書式情報サーバに送信し、該識別情報に対応した２次元書式情報を前記２次元書式情報サーバから受信するための通信手段を備え、
前記２次元書式情報サーバは、
前記情報入力装置から受信した、前記識別情報を用いて、予め保管している１または２以上の前記２次元書式情報の中から該識別情報に対応した２次元書式情報を選択する２次元書式情報保管選択手段と、
前記識別情報を前記情報入力装置から受信し、選択された該２次元書式情報を該情報入力装置へ送信する通信手段と
を備えた、情報入力システム。
【請求項２０】
前記ストリームドットは、
第二の仮想基準線を定義するために、および/または前記ドットパターンの方向と１つのＸＹ座標値および／またはコード値を定義するために、基準となる基準ドットを所定の位置に設けた、請求項１または２、６記載のいずれかに記載の情報入力装置または、請求項１７〜１９記載のいずれかに記載の情報入力システム。
【請求項２１】
前記コード値の一部は、
少なくとも、前記媒体または前記ディスプレイまたは前記情報入力補助シートを特定するコード値を含む、請求項１または２、６記載のいずれかに記載の情報入力装置または、請求項１７〜１９記載のいずれかに記載の情報入力システム。
【発明の詳細な説明】
【技術分野】
【０００１】
本発明は、ドットパターンが印刷された媒体、ドットパターンが表示されたディスプレイ、またはドットパターンが印刷された透明シートの利用と、電子データの構文解析および画像解析とにより、情報を入力する技術に関する。
【背景技術】
【０００２】
従来、例えば、印刷媒体や画面上に表示されたコンテンツに関する情報を、パーソナルコンピュータ、ＰＤＡ、ハンディ端末、テレビジョン受像機等の機器を用いて処理する場合、ユーザは、処理したい情報を、改めてそれらの機器に手動で入力していた。
【０００３】
例えば、印刷媒体上に「東京」の語句があり、ユーザが、語句「東京」に関する情報をパーソナルコンピュータにより検索する場合、インターネット上の検索エンジンを呼び出し、キーボードから語句「東京」を入力し、画面上に語句「東京」の検索結果を表示させていた。
【０００４】
また、前記のように、ユーザがキーボード等の入力装置により、処理を行いたい情報を入力する手間を省くために、図４０および図４１に示すように、印刷媒体や画面上に表示されるコンテンツの特定領域をマスク領域として予め定義し、そのマスク領域に特定のドットコードを埋め込み、ユーザがスキャナ等によりそのマスク領域のドットパターンを読み込むと、そのドットパターンに対応したドットコードが認識され、そのドットコードに予め対応付けられた情報が検索され、表示される技術が知られている（例えば、特許文献１）。
【０００５】
また、ＨＴＭＬ文書等をパーソナルコンピュータ等において表示し、表示されたコンテンツに関連する情報をユーザが検索出来るように、そのコンテンツに対しハイパーリンクを設定する技術が知られている。
【０００６】
【特許文献１】ＷＯ２００７／０８９０２１
【発明の開示】
【発明が解決しようとする課題】
【０００７】
しかし、前記従来技術を用いて、機器への情報入力を行う場合、ユーザが入力を所望する特定の情報（以下、特定情報という）が機器に入力されるようにするためには、印刷媒体や画面上に表示されるコンテンツ上に、予めマスク領域を定義し、マスク領域に特定情報に対応するドットコードを埋め込んだドットパターンを印刷または表示すると共に、ドットコードに対応した特定の情報を定義したドットコード・特定情報対応テーブルを作成しておく手間がかかった。
【０００８】
また、特定情報の関連情報を機器に表示させる場合、前記のドットコード・特定情報対応テーブルに代えて、ドットコードに対応した関連情報の存在するアドレスを示すドットコード・アドレス対応テーブルを予め作成する手間がかかった。
【０００９】
また、画面上に表示されるＨＴＭＬ等により記述されたコンテンツの場合、ハイパーリンク等が設定されていない特定情報に対しては、ユーザがキーボード入力等により処理したい特定情報の入力を明示的に行わない限り、その特定情報を処理することは出来なかった。
【００１０】
本発明はこのような点に鑑みてなされたものであり、印刷されたまたは画面表示された、ハイパーリンク等が設定されていない特定情報に対して、予めマスク領域を定義したり、マスク領域に特定情報に対応するドットコードを埋め込んだり、ドットコードに対応した特定情報を予め定義したドットコード・特定情報対応テーブルを作成したりすること無しに、ユーザが特定情報を入力することが出来る情報入力装置を提供することを技術的課題とする。
【課題を解決するための手段】
【００１１】
（１）  本発明に係る情報入力装置は、前記課題を解決するために、DTPデータ、HTML、フラッシュ、CADデータ、地図データ等であって、媒体に印刷するための２次元書式情報を対象とし、テキスト、図表、イラスト、写真等として可視化される情報のうち、所定の基準に該当する情報を特定情報として予め定めて書式化し、種々のマルチメディア情報出力および／またはオペレーション指示のため、該媒体の表面上に、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列したストリームドットパターンを複数並べて形成すると共に、前記２次元書式情報が印刷された媒体上において、可視化された前記特定情報を、ユーザが所定の操作により指定する際に、前記媒体上をタッチするために用いられ、タッチ位置のドットパターンを読み込むドットパターン読み取り手段と、入力された、前記２次元書式情報を識別するための識別情報を用いて、予め保管している１または２以上の前記２次元書式情報の中から該識別情報に対応した前記２次元書式情報を選択する２次元書式情報保管選択手段と、前記タッチ位置のドットパターンのＸＹ座標系における座標値（Ｘｔ，Ｙｔ）を、前記２次元書式情報のｘｙ座標系における座標値（ｘｔ，ｙｔ）に変換する座標変換手段と、前記２次元書式情報のｘｙ座標系において、前記特定情報の位置を特定するために、該特定情報をレイアウトして印刷する際に定まる、前記２次元書式情報のｘｙ座標系における座標値（ｘｉ，ｙｉ）を選択用位置情報として用い、前記タッチ位置のドットパターンの座標値（Ｘｔ，Ｙｔ）から変換された、前記２次元書式情報のｘｙ座標系における座標値（ｘｔ，ｙｔ）から、所定の距離内の、１または２以上の選択用位置情報までの距離を計算し、最も近い該選択用位置情報の座標を有する特定情報を、自装置への入力として選択する特定情報選択手段と、を備えたことを特徴としている。
【００１２】
２次元書式情報とは、印刷物を作成する際に、基の電子データとなるＤＴＰ（Desk Top Publishing）データ等のことである。ＤＴＰデータ以外に、ＨＴＭＬ、フラッシュ等で作成されたコンテンツデータでもよいし、ＣＡＤデータ、地図データでもよい。
【００１３】
特定情報とは、２次元書式情報に含に含まれる、テキスト、図表、イラスト、写真等の情報であり、構文解析および画像解析により識別される単位である。
【００１４】
例えば、ワードプロセッサにより、東京タワーとビルと空とが写った写真と、「花の都  東京」というテキストとをレイアウトした印刷物を作成する場合、そのワードプロセッサにより作成された電子データが２次元書式情報であり、電子データに含まれる写真およびテキストが特定情報である。また、写真は、画像解析により、東京タワー、ビル、空に分解され、テキストは、「花の都」、「東京」、「花」、「都」、「東」、「京」に分解され、それぞれ特定情報となる。
【００１５】
選択用位置情報とは、ユーザがタッチした位置により、印刷物上の特定情報を選択するために用いられる情報であり、例えば、ＤＴＰデータ上において、語句「東京」がレイアウトされる領域の中心座標値である。
【００１６】
解析され、選択用位置情報が設定された特定情報を含む２次元書式情報は、２次元書式情報保管選択手段において保管される。
【００１７】
識別情報とは、２次元書式情報を一意に特定するための情報であり、例えば、ＤＴＰデータのファイル名であってもよいし、予め決めたドキュメントＩＤを用いてもよい。また、ＵＲＬであってもよい。
【００１８】
媒体上には、前記の例では、写真とテキストとが印刷されており、それに重ねて、ＸＹ座標値および／またはコード値をパターン化したドットパターンが重畳印刷されている。
【００１９】
前記の構成によれば、ユーザが、媒体上の入力したい情報の上を、ドットパターン読み取り手段を用いて、タッチすると、タッチ位置のＸＹ座標値および／またはコード値が読み込まれる。次に、読み込まれたＸＹ座標値および／またはコード値から、ユーザがタッチした媒体が特定され、その媒体に対応した２次元書式情報が、２次元書式情報保管選択手段から取り出される。次に、取り出された２次元書式情報とタッチ位置の媒体上のＸＹ座標値とから、座標変換手段が、２次元書式情報上におけるタッチ位置のｘｙ座標値を計算する。次に、特定情報選択手段が、２次元書式情報上のｘｙ座標系により表されたタッチ位置の座標と、２次元書式情報内の各特定情報が有している選択用位置情報とを用いて、所定のアルゴリズムにより、タッチ位置の特定情報を選択し、情報入力装置への入力とする。それ故、印刷された、ハイパーリンク等が設定されていない特定情報に対して、予めマスク領域を定義したり、マスク領域に特定情報に対応するドットコードを埋め込んだり、ドットコードに対応した特定情報を予め定義したドットコード・特定情報対応テーブルを作成したりすること無しに、ユーザが特定情報を入力することが出来るという効果を奏する。
また、基準点の間隔が一定のストリームドットパターンが複数並べて形成されることにより、ＸＹ座標値が媒体に隙間なく定義される。さらに、文字や五線譜、地図、図形などが媒体に印刷され、その線分上をスキャナーペンでなぞるかまたはタッチして操作する場合、その線分に沿ってのみストリームドットパターンを形成することにより、合理的にドットパターンを配置できる。また、ドットパターンが２次元コードとして形成される矩形領域の形状でのＸＹ座標値によるインデックスの定義に制約されることなく、媒体表面上に可視的に形成された情報領域に合わせた自由な形状での一定情報のまとまりの繰り返しによるドットパターンを形成することが可能となる。
（２）  本発明に係る情報入力装置は、前記課題を解決するために、DTPデータ、HTML、フラッシュ、CADデータ、地図データ等であって、ディスプレイに表示するための２次元書式情報を対象とし、テキスト、図表、イラスト、写真等として可視化される情報のうち、所定の基準に該当する情報を特定情報として予め定めて書式化し、種々のマルチメディア情報出力および／またはオペレーション指示のため、該ディスプレイの表面上に、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列したストリームドットパターンを複数並べて形成すると共に、前記２次元書式情報が表示されるディスプレイと、前記ディスプレイ上において、可視化された前記特定情報を、ユーザが所定の操作により指定する際に、前記ディスプレイ上をタッチするために用いられ、タッチ位置のドットパターンを読み込むドットパターン読み取り手段と、入力された、前記２次元書式情報を識別するための識別情報を用いて、予め保管している１または２以上の前記２次元書式情報の中から該識別情報に対応した前記２次元書式情報を選択する２次元書式情報保管選択手段と、前記タッチ位置のドットパターンのＸＹ座標系における座標値（Ｘｔ，Ｙｔ）を、前記２次元書式情報のｘｙ座標系における座標値（ｘｔ，ｙｔ）に変換する座標変換手段と、前記２次元書式情報のｘｙ座標系において、前記特定情報の位置を特定するために、該特定情報をディスプレイに表示する際に定まる、前記２次元書式情報のｘｙ座標系における（ｘｉ，ｙｉ）を選択用位置情報として用い、前記タッチ位置のドットパターンの座標値（Ｘｔ，Ｙｔ）から変換された、前記２次元書式情報のｘｙ座標系における座標値（ｘｔ，ｙｔ）から、所定の距離内の、１または２以上の選択用位置情報までの距離を計算し、最も近い該選択用位置情報の座標を有する特定情報を、自装置への入力として選択する特定情報選択手段と、を備えたことを特徴とする。
【００２０】
２次元書式情報とは、ディスプレイに表示されるコンテンツの電子データとなるコンテンツデータ等のことである。
【００２１】
選択用位置情報とは、ユーザがタッチした位置により、ディスプレイ上の特定情報を選択するために用いられる情報である。
【００２２】
ディスプレイ上には、コンテンツが表示されており、それに重ねて、ＸＹ座標値および／またはコード値をパターン化したドットパターンが表示されている。
【００２３】
前記の構成によれば、ユーザが、ディスプレイ上の入力したい情報の上を、ドットパターン読み取り手段を用いて、タッチすると、タッチ位置のＸＹ座標値および／またはコード値が読み込まれる。次に、読み込まれたＸＹ座標値および／またはコード値から、ユーザがタッチしたコンテンツが特定され、そのコンテンツの２次元書式情報が、２次元書式情報保管選択手段から取り出される。次に、取り出された２次元書式情報とタッチ位置のディスプレイ上のＸＹ座標値とから、座標変換手段が、２次元書式情報上におけるタッチ位置のｘｙ座標値を計算する。次に、特定情報選択手段が、２次元書式情報上のｘｙ座標系により表されたタッチ位置の座標と、２次元書式情報内の各特定情報が有している選択用位置情報とを用いて、所定のアルゴリズムにより、タッチ位置の特定情報を選択し、情報入力装置への入力とする。それ故、ディスプレイ上に表示された、ハイパーリンク等が設定されていない特定情報に対して、予めマスク領域を定義したり、マスク領域に特定情報に対応するドットコードを埋め込んだり、ドットコードに対応した特定情報を予め定義したドットコード・特定情報対応テーブルを作成したりすること無しに、ユーザが特定情報を入力することが出来るという効果を奏する。
【００２４】
また、基準点の間隔が一定のストリームドットパターンが複数並べて形成されることにより、ＸＹ座標値がディスプレイに隙間なく定義される。さらに、文字や五線譜、地図、図形などがディスプレイに表示され、その線分上をスキャナーペンでなぞるかまたはタッチして操作する場合、その線分に沿ってのみストリームドットパターンを形成することにより、合理的にドットパターンを配置できる。また、ドットパターンが２次元コードとして形成される矩形領域の形状でのＸＹ座標値によるインデックスの定義に制約されることなく、媒体表面上に可視的に形成された情報領域に合わせた自由な形状での一定情報のまとまりの繰り返しによるドットパターンを形成することが可能となる。
【００２５】
（３）  本発明に係る情報入力装置では、前記識別情報は、前記媒体上に印刷または前記ディスプレイ上に表示された前記ドットパターンの前記コード値であり、前記ドットパターンのＸＹ座標値が印刷または表示されている領域の少なくとも一部に、該ドットパターンのＸＹ座標値と共に印刷または表示されるか、または該領域とは異なる領域に印刷または表示されることが好ましい。
【００２６】
前記の構成によれば、前記識別情報が前記コード値であることにより、ユーザのタッチ操作により識別情報が読み込まれるため、ユーザが別途識別情報を入力する手間が省けるというさらなる効果を奏する。
【００２７】
また、識別情報を印刷する場所を調整することにより、ユーザがタッチする位置により、読み込まれる情報を調整することが出来るというさらなる効果を奏する。
【００２８】
（４）  本発明に係る情報入力装置では、前記識別情報は、前記２次元書式情報を一意に識別する、前記ドットパターンのＸＹ座標値であり、該ＸＹ座標値は、前記ドットパターンのＸＹ座標値が印刷または表示される領域の全体に印刷されることが好ましい。
【００２９】
前記の構成によれば、広大なＸＹ座標面を分割し、各ＤＴＰデータが使用する領域を、領域同士が重ならないように予め定めておけば、いずれのＸＹ座標値を用いているかにより、ＤＴＰデータを識別することが出来る。
【００３０】
前記識別情報が２次元書式情報を一意に識別する、前記ドットパターンのＸＹ座標値であることにより、識別情報をコード値としてドットパターンに含める処理が不要になるというさらなる効果を奏する。
【００３１】
（５）  本発明に係る情報入力装置では、前記ディスプレイは、前記ドットパターン読み取り手段が備えた赤外線照射手段から照射された赤外線を前記ドットパターンのドット部が吸収または透過する構造であり、前記ドット部を除く領域は、前記赤外線を拡散反射する構造であることが好ましい。
【００３２】
前記の構成によれば、前記ディスプレイのドット部以外の領域は、赤外線を拡散反射することにより、鏡面反射時に起こる反射ムラを防ぐことが出来るというさらなる効果を奏する。
【００３３】
また、前記ドット部が、赤外線を吸収または透過する構造であることにより、ドットパターン読み取り手段により撮影される画像において、ドットとそれ以外の部分のコントラスト比を強め、確実にドットパターンが読み取られる様に出来るというさらなる効果を奏する。
【００３４】
（６）  本発明に係る情報入力装置は、前記課題を解決するために、種々のマルチメディア情報出力および／またはオペレーション指示のため、情報入力補助シートの表面上に、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列したストリームドットパターンを複数並べて形成して印刷され、DTPデータ、HTML、フラッシュ、CADデータ、地図データ等であって、媒体に印刷、またはディスプレイに表示するための２次元書式情報を対象とし、テキスト、図表、イラスト、写真等として可視化される情報のうち、所定の基準に該当する情報を特定情報として予め定めて書式化し、前記２次元書式情報が、印刷された媒体上または表示されるディスプレイ上に、配置または貼付された前記情報入力補助シートと、前記媒体または前記ディスプレイ上において、可視化された前記特定情報を、ユーザが所定の操作により指定する際に、前記情報入力補助シートを透して、前記媒体または前記ディスプレイ上をタッチするために用いられ、タッチ位置のドットパターンを読み込むドットパターン読み取り手段と、入力された、前記２次元書式情報を識別するための識別情報を用いて、予め保管している１または２以上の前記２次元書式情報の中から該識別情報に対応した前記２次元書式情報を選択する２次元書式情報保管選択手段と、前記タッチ位置のドットパターンのＸＹ座標系における座標値（Ｘｔ，Ｙｔ）を、前記２次元書式情報のｘｙ座標系における座標値（ｘｔ，ｙｔ）に変換する座標変換手段と、前記２次元書式情報のｘｙ座標系において、前記特定情報の位置を特定するために、該特定情報をレイアウトして印刷する際に定まる、または、該特定情報をディスプレイに表示する際に定まる、前記２次元書式情報のｘｙ座標系における（ｘｉ，ｙｉ）を選択用位置情報として用い、前記タッチ位置のドットパターンの座標値（Ｘｔ，Ｙｔ）から変換された、前記２次元書式情報のｘｙ座標系における座標値（ｘｔ，ｙｔ）から、所定の距離内の、１または２以上の選択用位置情報までの距離を計算し、最も近い該選択用位置情報の座標を有する特定情報を、自装置への入力として選択する特定情報選択手段と、
を備えたことを特徴としている。
【００３５】
情報入力補助シートは、透明なシートであり、ドットパターンが印刷等により設けられている。コンテンツが印刷された媒体またはコンテンツが表示されたディスプレイと重ね合わせて用いられる。ユーザは、媒体またはディスプレイ上の特定情報を入力するために、情報入力補助シートの上から、ドットパターン読み取り手段により、所望の特定情報をタッチする。
【００３６】
前記の構成によれば、ユーザが、必要に応じ、印刷または表示されたコンテンツを特定する情報を入力する。そのコンテンツに対応した２次元書式情報が、２次元書式情報保管選択手段から取り出される。次に、ユーザが、入力したい情報の上を、ドットパターン読み取り手段を用いて、情報入力補助シートを透してタッチすると、タッチ位置のＸＹ座標値および／またはコード値が読み込まれる。次に、取り出された２次元書式情報とタッチ位置の情報入力補助シート上のＸＹ座標値とから、座標変換手段が、２次元書式情報上におけるタッチ位置のｘｙ座標値を計算する。次に、特定情報選択手段が、２次元書式情報上のｘｙ座標系により表されたタッチ位置の座標と、２次元書式情報内の各特定情報が有している選択用位置情報とを用いて、所定のアルゴリズムにより、タッチ位置の特定情報を選択し、情報入力装置への入力とする。それ故、本や雑誌、新聞等の印刷物に直接ドットパターンを印刷しなくても、印刷または表示された、ハイパーリンク等が設定されていない特定情報に対して、予めマスク領域を定義したり、マスク領域に特定情報に対応するドットコードを埋め込んだり、ドットコードに対応した特定情報を予め定義したドットコード・特定情報対応テーブルを作成したりすること無しに、ユーザが特定情報を入力することが出来るという効果を奏する。
【００３７】
また、基準点の間隔が一定のストリームドットパターンが複数並べて形成されることにより、ＸＹ座標値が情報入力補助シートに隙間なく定義される。さらに、文字や五線譜、地図、図形などが情報入力補助シートに印刷され、その線分上をスキャナーペンでなぞるかまたはタッチして操作する場合、その線分に沿ってのみストリームドットパターンを形成することにより、合理的にドットパターンを配置できる。また、ドットパターンが２次元コードとして形成される矩形領域の形状でのＸＹ座標値によるインデックスの定義に制約されることなく、媒体表面上に可視的に形成された情報領域に合わせた自由な形状での一定情報のまとまりの繰り返しによるドットパターンを形成することが可能となる。
【００３８】
（７）  本発明に係る情報入力装置では、前記情報入力補助シートには、前記媒体上に印刷されたまたは前記ディスプレイ上に表示された前記２次元書式情報を特定するためのインデックスを、ユーザが入力するための複数のアイコンが、前記ドットパターンと共に印刷されており、前記２次元書式情報保管選択手段は、前記ドットパターン読み取り手段を用いて該アイコンがタッチされることにより入力された該インデックスを前記識別情報に変換し、変換された該識別情報を用いて、前記２次元書式情報を選択することが好ましい。
【００３９】
前記の構成によれば、情報入力補助シートには、インデックスが設けられているので、ユーザは、簡単に識別情報を入力することが出来るというさらなる効果を奏する。
【００４０】
（８）  本発明に係る情報入力装置では、前記所定の操作は、ユーザが、前記ドットパターン読み取り手段を用いて、可視化された前記特定情報にタッチする、または、タッチし該特定情報上をなぞる操作であることが好ましい。
【００４１】
（９）  本発明に係る情報入力装置では、前記所定の操作は、ユーザが、前記ドットパターン読み取り手段を用いて、可視化された前記特定情報にタッチし、該特定情報が表示された領域をなぞって囲む操作であることが好ましい。
【００４２】
前記の構成によれば、特定情報選択手段は、囲まれた選択用位置情報を有する特定情報を選択すればよいので、タッチ操作により得られる１点のみの座標値により特定情報を選択する場合に比較し、より確実に、ユーザの所望する特定情報を選択することが出来るというさらなる効果を奏する。
【００４３】
（１０）  本発明に係る情報入力装置では、前記特定情報は、該特定情報が、１つの語句でありかつ該語句を構成する文字間が離れている場合、該文字ごとに、前記選択用位置情報を有し、該特定情報が、１つの図表、イラスト、写真等でありかつこれらを構成するオブジェクトが複数ある場合、該オブジェクトごとに、前記選択用位置情報を有することが好ましい。
【００４４】
前記の構成によれば、前記特定情報は、位置が離れた文字ごとに、また図表、イラスト、写真ごとに、選択用位置情報を持つので、それらの特定情報を確実に選択できるというさらなる効果を奏する。
【００４５】
（１１）  本発明に係る情報入力装置では、前記選択用位置情報は、特定情報である語句または該語句を構成する各文字の中心座標値であるか、または特定情報である図表、イラスト、写真等、またはそれらを構成するオブジェクトの図心座標値であることが好ましい。
【００４６】
前記の構成によれば、ユーザが、所望する特定情報の中心を指定する操作を行うことにより、その特定情報を確実に選択できるというさらなる効果を奏する。
【００４７】
（１２）  本発明に係る情報入力装置では、前記選択用位置情報は、特定情報である語句または該語句を構成する各文字の高さ方向の、中央または任意の位置における該語句または該文字の幅を示す線分の、始点座標値（ｘｉ１，ｙｉ１）および終点座標値（ｘｉ２，ｙｉ２）の組み合わせであり、前記特定情報選択手段は、前記タッチ位置の座標値（ｘｔ，ｙｔ）から該線分までの距離が、任意の距離内でありかつ最も近い線分を有する前記特定情報を選択することが好ましい。
【００４８】
前記の構成によれば、選択用位置情報が線分により表されるので、タッチ位置の座標値との距離の計算が簡潔になるというさらなる効果を奏する。
【００４９】
（１３）  本発明に係る情報入力装置では、前記特定情報選択手段は、前記２次元書式情報において、所定のアルゴリズムにより、タッチ位置の前記座標値（ｘｔ，ｙｔ）から任意の距離内にあるテキストの構文解析、および／または、図形、イラスト、写真等のファイル検索および／または画像解析を行うことにより、１または２以上の前記特定情報を認識し、該特定情報の前記選択用位置情報を所定のアルゴリズムにより算定し、前記座標値（ｘｔ，ｙｔ）と、認識した該特定情報と、算定した該選択用位置情報とから、前記特定情報を選択することが好ましい。
【００５０】
前記の構成によれば、特定情報選択手段は、２次元書式情報を取得してから、その内容のうち、タッチ位置に近い限られた範囲について、構文解析・画像解析を行うので、予め構文解析・画像解析がなされ、選択用位置情報が設定された２次元書式情報を用意しておく手間が省けるというさらなる効果を奏する。
【００５１】
また、２次元書式情報の全体を構文解析・画像解析する場合に比較し、短時間で解析を行うことが出来るというさらなる効果を奏する。
【００５２】
（１４）  本発明に係る情報入力装置では、前記特定情報は、前記２次元書式情報に含まれる、テキストの構文解析、および／または、図形、イラスト、写真等の、ファイル検索および／または画像解析を行うことにより、予め特定され、該特定情報の前記選択用位置情報は、所定のアルゴリズムにより予め算定され、該２次元書式情報には、該特定情報と該選択用位置情報とが記録されていることが好ましい。
【００５３】
前記の構成によれば、２次元書式情報は、予め解析され、選択用位置情報が設定され、特定情報が特定されており、特定情報選択手段は、２次元書式情報を取得した後に、構文解析・画像解析を行う必要が無いので、２次元書式情報を取得してから特定情報を選択するまでの処理時間を短縮出来るというさらなる効果を奏する。
【００５４】
（１５）  本発明に係る情報入力装置では、前記２次元書式情報は、ＣＡＤにより描かれた、前記特定情報としての、テキスト、および／または、点、線分、平面、立体物を有した図形であることが好ましい。
【００５５】
前記の構成によれば、ＣＡＤ図面等、ＣＡＤにより作成されたコンテンツも入力処理に利用することが出来るというさらなる効果を奏する。
【００５６】
（１６）  本発明に係る情報入力装置では、前記２次元書式情報は、地図データであり、該地図データは、テキスト、道路、地物、交差点等のカテゴリに分類された特定情報を有しており、該特定情報は、道路により囲まれた領域、地物領域、道路中心線、および地物図心を選択用位置情報として有することが好ましい。
【００５７】
前記の構成によれば、地図も入力処理に利用することが出来るというさらなる効果を奏する。
【００５８】
（１７）  本発明に係る情報入力システムは、前記課題を解決するために、請求項１記載の情報入力装置と、２次元書式情報サーバと、これらを接続するネットワークとから構成される情報入力システムであって、前記情報入力装置は、前記２次元書式情報保管選択手段に替えて、入力された、前記２次元書式情報を識別するための識別情報を、前記２次元書式情報サーバに送信し、該識別情報に対応した２次元書式情報を前記２次元書式情報サーバから受信するための通信手段を備え、前記２次元書式情報サーバは、前記情報入力装置から受信した、前記識別情報を用いて、予め保管している１または２以上の前記２次元書式情報の中から該識別情報に対応した２次元書式情報を選択する２次元書式情報保管選択手段と、前記識別情報を前記情報入力装置から受信し、選択された該２次元書式情報を該情報入力装置へ送信する通信手段と、を備えたことを特徴としている。
【００５９】
２次元書式情報サーバは、予め解析され、選択用位置情報が設定された特定情報を含む２次元書式情報を提供するサーバでもよいし、通常のＷｅｂサーバでもよい。なお、通常のＷｅｂサーバを用いる場合、Ｗｅｂサーバから取得する２次元書式情報には、選択用位置情報や特定情報が設定されていないので、特定情報選択手段は、２次元書式情報の取得後、選択用位置情報および特定情報を設定するように、解析を行う。
【００６０】
前記の構成によれば、情報入力装置は、ネットワーク上の２次元書式情報サーバから識別情報に対応した２次元書式情報を取得する、クライアント・サーバ型構成となるので、複数の情報入力装置が、２次元書式情報サーバを共有することが出来るという効果を奏する。
【００６１】
また、既存のＷｅｂサーバ等を、２次元書式情報サーバとして利用することが出来るという効果を奏する。
【００６２】
（１８）  本発明に係る情報入力システムは、前記課題を解決するために、請求項２記載の情報入力装置と、２次元書式情報サーバと、これらを接続するネットワークとから構成される情報入力システムであって、前記情報入力装置は、前記２次元書式情報保管選択手段に替えて、入力された、前記２次元書式情報を識別するための識別情報を、前記２次元書式情報サーバに送信し、該識別情報に対応した２次元書式情報を前記２次元書式情報サーバから受信するための通信手段を備え、前記２次元書式情報サーバは、前記情報入力装置から受信した、前記識別情報を用いて、予め保管している１または２以上の前記２次元書式情報の中から該識別情報に対応した２次元書式情報を選択する２次元書式情報保管選択手段と、前記識別情報を前記情報入力装置から受信し、選択された該２次元書式情報を該情報入力装置へ送信する通信手段とを備えたことを特徴としている。
【００６３】
前記の構成によれば、情報入力装置は、ネットワーク上の２次元書式情報サーバから識別情報に対応した２次元書式情報を取得する、クライアント・サーバ型構成となるので、複数の情報入力装置が、２次元書式情報サーバを共有することが出来るという効果を奏する。
【００６４】
（１９）  本発明に係る情報入力システムは、前記課題を解決するために、請求項１記載の情報入力装置と、２次元書式情報サーバと、これらを接続するネットワークとから構成される情報入力システムであって、前記情報入力装置は、前記２次元書式情報保管選択手段に替えて、入力された、前記２次元書式情報を識別するための識別情報を、前記２次元書式情報サーバに送信し、該識別情報に対応した２次元書式情報を前記２次元書式情報サーバから受信するための通信手段を備え、前記２次元書式情報サーバは、前記情報入力装置から受信した、前記識別情報を用いて、予め保管している１または２以上の前記２次元書式情報の中から該識別情報に対応した２次元書式情報を選択する２次元書式情報保管選択手段と、前記識別情報を前記情報入力装置から受信し、選択された該２次元書式情報を該情報入力装置へ送信する通信手段とを備えたことを特徴としている。
【００６５】
前記の構成によれば、情報入力装置は、ネットワーク上の２次元書式情報サーバから識別情報に対応した２次元書式情報を取得する、クライアント・サーバ型構成となるので、複数の情報入力装置が、２次元書式情報サーバを共有することが出来るという効果を奏する。
【００６６】
（２０）  本発明に係る情報入力システムでは、前記ストリームドットは、第二の仮想基準線を定義するために、および/または前記ドットパターンの方向と１つのＸＹ座標値および／またはコード値を定義するために、基準となる基準ドットを所定の位置に設けたことが好ましい。
【００６７】
これによれば、新たな基準点を設けることにより、ストリームドットパターンの向きと一定情報のまとまりを、情報ドットを使用せず簡易に定義することができ、これにより、余計な情報の低減を押さえられる。さらに、新たな基準点の配置により情報ドットの始点となる仮想基準点の位置を正確に示すことができる。
【００６８】
（２１）  本発明に係る情報入力システムでは、前記コード値の一部は、少なくとも、前記媒体または前記ディスプレイまたは前記情報入力補助シートを特定するコード値を含むことが好ましい。
前記の構成によれば、前記識別情報が前記コード値であることにより、ユーザのタッチ操作により、どの媒体またはディスプレイまたは情報入力補助シートが使用されているのかが認識できるため、ユーザが別途媒体等を識別するための情報を入力する手間が省けるというさらなる効果を奏する。
【発明の効果】
【００６９】
本発明に係る情報入力装置は、以上のように、テキスト、図表、イラスト、写真等として可視化される特定情報を書式化した２次元書式情報が、種々のマルチメディア情報出力および／またはオペレーション指示のため、ＸＹ座標値および／またはコード値を所定のアルゴリズムによりパターン化したドットパターンと共に、印刷された媒体上において、可視化された前記特定情報を、ユーザが所定の操作により指定する際に、前記媒体上をタッチするために用いられ、タッチ位置のドットパターンを読み込むドットパターン読み取り手段と、入力された、前記２次元書式情報を識別するための識別情報を用いて、予め保管している１または２以上の前記２次元書式情報の中から該識別情報に対応した前記２次元書式情報を選択する２次元書式情報保管選択手段と、前記タッチ位置のドットパターンのＸＹ座標系における座標値（Ｘｔ，Ｙｔ）を、選択された前記２次元書式情報のｘｙ座標系における座標値（ｘｔ，ｙｔ）に変換する座標変換手段と、前記２次元書式情報のｘｙ座標系において、前記特定情報の位置を特定するために、前記特定情報が有している選択用位置情報を用い、前記タッチ位置のドットパターンの座標値（Ｘｔ，Ｙｔ）から変換された、前記２次元書式情報のｘｙ座標系における座標値（ｘｔ，ｙｔ）から、任意の距離内でありかつ最も近い該選択用位置情報の座標を有する特定情報を、自装置への入力として選択する特定情報選択手段とを備えたことを特徴としている。
【００７０】
また、本発明に係る情報入力装置は、前記課題を解決するために、テキスト、図表、イラスト、写真等として可視化される特定情報を書式化した２次元書式情報が、種々のマルチメディア情報出力および／またはオペレーション指示のため、ＸＹ座標値および／またはコード値を所定のアルゴリズムによりパターン化したドットパターンと共に、表示されるディスプレイと、前記ディスプレイ上において、可視化された前記特定情報を、ユーザが所定の操作により指定する際に、前記ディスプレイ上をタッチするために用いられ、タッチ位置のドットパターンを読み込むドットパターン読み取り手段と、入力された、前記２次元書式情報を識別するための識別情報を用いて、予め保管している１または２以上の前記２次元書式情報の中から該識別情報に対応した前記２次元書式情報を選択する２次元書式情報保管選択手段と、前記タッチ位置のドットパターンのＸＹ座標系における座標値（Ｘｔ，Ｙｔ）を、選択された前記２次元書式情報のｘｙ座標系における座標値（ｘｔ，ｙｔ）に変換する座標変換手段と、前記２次元書式情報のｘｙ座標系において、前記特定情報の位置を特定するために、前記特定情報が有している選択用位置情報を用い、前記タッチ位置のドットパターンの座標値（Ｘｔ，Ｙｔ）から変換された、前記２次元書式情報のｘｙ座標系における座標値（ｘｔ，ｙｔ）から、任意の距離内でありかつ最も近い該選択用位置情報の座標を有する特定情報を、自装置への入力として選択する特定情報選択手段とを備えたことを特徴としている。
【００７１】
また、本発明に係る情報入力装置は、以上のように、種々のマルチメディア情報出力および／またはオペレーション指示のため、ＸＹ座標値および／またはコード値を所定のアルゴリズムによりパターン化したドットパターンが印刷され、テキスト、図表、イラスト、写真等として可視化される特定情報を書式化した２次元書式情報が、印刷された媒体上または表示されるディスプレイ上に、配置または貼付された情報入力補助シートと、前記媒体または前記ディスプレイ上において、可視化された前記特定情報を、ユーザが所定の操作により指定する際に、前記情報入力補助シートを透して、前記媒体または前記ディスプレイ上をタッチするために用いられ、タッチ位置のドットパターンを読み込むドットパターン読み取り手段と、入力された、前記２次元書式情報を識別するための識別情報を用いて、予め保管している１または２以上の前記２次元書式情報の中から該識別情報に対応した前記２次元書式情報を選択する２次元書式情報保管選択手段と、前記タッチ位置のドットパターンのＸＹ座標系における座標値（Ｘｔ，Ｙｔ）を、選択された前記２次元書式情報のｘｙ座標系における座標値（ｘｔ，ｙｔ）に変換する座標変換手段と、前記２次元書式情報のｘｙ座標系において、前記特定情報の位置を特定するために、前記特定情報が有している選択用位置情報を用い、前記タッチ位置のドットパターンの座標値（Ｘｔ，Ｙｔ）から変換された、前記２次元書式情報のｘｙ座標系における座標値（ｘｔ，ｙｔ）から、任意の距離内でありかつ最も近い該選択用位置情報の座標を有する特定情報を、自装置への入力として選択する特定情報選択手段とを備えたことを特徴としている。
【００７２】
また、本発明に係る情報入力方法は、以上のように、テキスト、図表、イラスト、写真等として可視化される特定情報を書式化した２次元書式情報が、種々のマルチメディア情報出力および／またはオペレーション指示のため、ＸＹ座標値および／またはコード値を所定のアルゴリズムによりパターン化したドットパターンと共に、印刷された媒体上において、可視化された前記特定情報を、ユーザが所定の操作により指定する際に、前記媒体上をタッチするために、ドットパターン読み取り手段を用いて、タッチ位置のドットパターンを読み込むドットパターン読み取りステップと、入力された、前記２次元書式情報を識別するための識別情報を用いて、予め保管している１または２以上の前記２次元書式情報の中から該識別情報に対応した前記２次元書式情報を選択する２次元書式情報保管選択ステップと、前記タッチ位置のドットパターンのＸＹ座標系における座標値（Ｘｔ，Ｙｔ）を、選択された前記２次元書式情報のｘｙ座標系における座標値（ｘｔ，ｙｔ）に変換する座標変換ステップと、前記２次元書式情報のｘｙ座標系において、前記特定情報の位置を特定するために、前記特定情報が有している選択用位置情報を用い、前記タッチ位置のドットパターンの座標値（Ｘｔ，Ｙｔ）から変換された、前記２次元書式情報のｘｙ座標系における座標値（ｘｔ，ｙｔ）から、任意の距離内でありかつ最も近い該選択用位置情報の座標を有する特定情報を、自装置への入力として選択する特定情報選択ステップとを含んだことを特徴としている。
【００７３】
また、本発明に係る情報入力方法は、以上のように、テキスト、図表、イラスト、写真等として可視化される特定情報を書式化した２次元書式情報が、種々のマルチメディア情報出力および／またはオペレーション指示のため、ＸＹ座標値および／またはコード値を所定のアルゴリズムによりパターン化したドットパターンと共に、表示されたディスプレイ上において、可視化された前記特定情報を、ユーザが所定の操作により指定する際に、前記ディスプレイ上をタッチするために、ドットパターン読み取り手段を用いて、タッチ位置のドットパターンを読み込むドットパターン読み取りステップと、入力された、前記２次元書式情報を識別するための識別情報を用いて、予め保管している１または２以上の前記２次元書式情報の中から該識別情報に対応した前記２次元書式情報を選択する２次元書式情報保管選択ステップと、前記タッチ位置のドットパターンのＸＹ座標系における座標値（Ｘｔ，Ｙｔ）を、選択された前記２次元書式情報のｘｙ座標系における座標値（ｘｔ，ｙｔ）に変換する座標変換ステップと、前記２次元書式情報のｘｙ座標系において、前記特定情報の位置を特定するために、前記特定情報が有している選択用位置情報を用い、前記タッチ位置のドットパターンの座標値（Ｘｔ，Ｙｔ）から変換された、前記２次元書式情報のｘｙ座標系における座標値（ｘｔ，ｙｔ）から、任意の距離内でありかつ最も近い該選択用位置情報の座標を有する特定情報を、自装置への入力として選択する特定情報選択ステップとを含んだことを特徴としている。
【００７４】
また、本発明に係る情報入力方法は、以上のように、種々のマルチメディア情報出力および／またはオペレーション指示のため、ＸＹ座標値および／またはコード値を所定のアルゴリズムによりパターン化したドットパターンが印刷され、テキスト、図表、イラスト、写真等として可視化される特定情報を書式化した２次元書式情報が、印刷された媒体上または表示されるディスプレイ上に、配置または貼付された情報入力補助シートと、前記媒体または前記ディスプレイ上において、可視化された前記特定情報を、ユーザが所定の操作により指定する際に、前記情報入力補助シートを透して、前記媒体または前記ディスプレイ上をタッチするために用いられ、タッチ位置のドットパターンを読み込むドットパターン読み取り手段とを用いて、タッチ位置のドットパターンを読み込むドットパターン読み取りステップと、入力された、前記２次元書式情報を識別するための識別情報を用いて、予め保管している１または２以上の前記２次元書式情報の中から該識別情報に対応した前記２次元書式情報を選択する２次元書式情報保管選択ステップと、前記タッチ位置のドットパターンのＸＹ座標系における座標値（Ｘｔ，Ｙｔ）を、選択された前記２次元書式情報のｘｙ座標系における座標値（ｘｔ，ｙｔ）に変換する座標変換ステップと、前記２次元書式情報のｘｙ座標系において、前記特定情報の位置を特定するために、前記特定情報が有している選択用位置情報を用い、前記タッチ位置のドットパターンの座標値（Ｘｔ，Ｙｔ）から変換された、前記２次元書式情報のｘｙ座標系における座標値（ｘｔ，ｙｔ）から、任意の距離内でありかつ最も近い該選択用位置情報の座標を有する特定情報を、自装置への入力として選択する特定情報選択ステップとを含んだことを特徴としている。
【００７５】
それ故、印刷・表示された、ハイパーリンク等が設定されていない特定情報に対して、予めマスク領域を定義したり、マスク領域に特定情報に対応するドットコードを埋め込んだり、ドットコードに対応した特定情報を予め定義したドットコード・特定情報対応テーブルを作成したりすること無しに、ユーザが特定情報を入力することが出来るという効果を奏する。
【図面の簡単な説明】
【００７６】
【図１】本発明の第１の実施形態の概要を示すものであり、図１（ａ）は、操作の様子を示す図であり、図１（ｂ）は、特定情報を選択する様子を示す図である。
【図２】図２は、ストリームドットについて説明する図（１）である。
【図３】図３は、ストリームドットについて説明する図（２）である。
【図４】図４は、ストリームドットについて説明する図（３）である。
【図５】図５は、ストリームドットについて説明する図（４）である。
【図６】図６は、ストリームドットについて説明する図（５）である。
【図７】図７は、ストリームドットについて説明する図（６）である。
【図８】図８は、ドットコードのフォーマット例を示す図であり、図８（ａ）は、ドットコードがＸＹ座標値とコード値とパリティとを含む例であり、図８（ｂ）は、ドットパターン３を設ける場所によりフォーマットを変更する例であり、図１８（ｃ）は、ドットコードがＸＹ座標値とパリティとを含む例である。
【図９】図９は、印刷物１ａの断面図であり、図９（ａ）は、赤外線が印刷媒体１ｃの何も印刷されていない箇所に当たり拡散反射する様子を示す図であり、図９（ｂ）は、赤外線が印刷物１ａのコンテンツ印刷箇所に当たり拡散反射する様子を示す図であり、図９（ｃ）は、赤外線がドットパターン３に当たり吸収される様子を示す図である。
【図１０】図１０は、スキャナ４の、ドットパターン３を読み取る部分の構造と、印刷物１ａ上のドットパターン３を読み取る様子を示す図である。
【図１１】図１１は、第１の本実施形態に係る情報入力装置５の機能ブロック図である。
【図１２】図１２は、選択用位置情報として、オブジェクトの中心座標値または図心座標値を用いる場合の例を示す図であり、図１２（ａ）は、特定情報がテキストの場合であり、図１２（ｂ）は、特定情報が図表の場合であり、図１２（ｃ）は、特定情報がイラスト・写真の場合である。
【図１３】図１３は、他の選択用位置情報の例を示す図であり、図１３（ａ）は、語句の始点座標と高さを選択用位置情報とする例であり、図１３（ｂ）は、語句の始点座標と終点座標と高さとを選択用位置情報とする例であり、図１３（ｃ）は、語句を構成する文字が離れている場合に文字ごとの始点座標と終点座標と高さとを選択用位置情報とする例である。
【図１４】図１６は、ユーザが指定したい特定情報の１点にタッチする操作の例を示す図である。
【図１５】図１５は、ユーザが指定したい特定情報上をなぞる操作の例を示す図である。
【図１６】図１６は、ユーザが指定したい特定情報の周囲をなぞって囲む操作の例を示す図である。
【図１７】図１７は、特定情報を選択する方法の例を示す図であり、図１７（ａ）は、タッチ位置から線分に対して下ろした垂線の足が線分と交わらない場合であり、図１７（ｂ）は、タッチ位置から線分に対して下ろした垂線の足が線分と交わる場合である。
【図１８】図１８は、特定情報を選択する方法の例を示す図であり、図１８（ａ）は、タッチ位置がマスク領域２ｂ内である場合であり、図１８（ｂ）は、タッチ位置が、マスク領域２ｂ内にも、マスク領域２ｂ’内にも入らない場合である。
【図１９】図１９は、特定情報を選択する方法の例を示す図である。
【図２０】図２０は、情報入力装置５が行う情報入力処理の手順のフローチャートである。
【図２１】図２１は、処理Ｓ４０において行われる特定情報の選択処理について詳細に説明するフローチャートである。
【図２２】図２４は、第２の実施形態に係る情報入力装置５ａの機能ブロック図である。
【図２３】図２３は、第３の実施形態に係る情報処理装置１２の機能ブロック図である。
【図２４】図２４は、情報処理装置１２が行う情報処理の手順について説明するフローチャートである。
【図２５】図２５は、情報処理装置１２が行う情報処理の様子を示す図である。
【図２６】図２６は、第４の実施形態の概要を例示する図である。
【図２７】図２７は、ドット部を設けた有機ＥＬディスプレイの断面図であり、図２７（ａ）は、ドット部に入射した赤外線が、透過または吸収される様子を示す図であり、図２７（ｂ）は、ドット部以外の発光素子に赤外線が入射し、拡散反射される様子を示す図である。
【図２８】図２８は、フロントプロジェクタまたはリアプロジェクタのスクリーンにドット部を設ける例を示す図であり、図２８（ａ）は、ドット部に入射した赤外線が、透過または吸収される様子を示す図であり、図２９（ｂ）は、ドット部以外のスクリーン部分に赤外線が入射し、拡散反射される様子を示す図である。
【図２９】図２９は、第４の実施形態に係る情報処理装置１２ｂの機能ブロック図である。
【図３０】図３０は、情報処理装置１２ｂが行う情報処理の手順について説明するフローチャートである。
【図３１】図３１は、第５の実施形態の概要を示す図である。
【図３２】図３２は、グリッドシート１ｇの表面の正面図である。
【図３３】図３３は、グリッドシート１ｇを使用する方法を示す図であり、図３５（ａ）は、右側のページに使用する場合であり、図３５（ｂ）は、左側のページに使用する場合である。
【図３４】図３４は、グリッドシート１ｇの内部構造例を示す断面図である。
【図３５】図３５は、グリッドシート１ｇの内部構造例を示す断面図である。
【図３６】図３６は、第６の実施形態の概要を示す図である。
【図３７】図３７は、第７の実施形態の概要を示す図である。
【図３８】図３８は、第７の実施形態に係るテレビ受像機１２ｅの機能ブロック図である。
【図３９】図３９は、テレビ受像機１２ｅが行う情報処理の手順について説明するフローチャートである。
【図４０】図４０は、従来技術を示す図である。
【図４１】図４１は、従来技術を示す図である。
【発明を実施するための最良の形態】
【００７７】
［第１の実施形態］
本発明に係る情報入力装置のうち、コンテンツと共にドットパターンが印刷された媒体を用いる一実施形態について、図１から図２３に基づいて説明すると、以下の通りである。
＜概要＞
【００７８】
図１において、本実施形態の概要を示す。図１（ａ）は、本実施形態における操作の様子を示す図であり、図１（ｂ）は、特定情報を選択する様子を示す図である。
【００７９】
図１（ａ）において示すように、まずユーザは、コンテンツと共にドットパターン３（詳細は、後述）が印刷された印刷物１ａ（媒体）上の、情報入力装置５に入力したい情報に、スキャナ４（ドットパターン読み取り手段）を用いてタッチする。
【００８０】
この例では、ユーザは、情報入力装置５の画面上に表示された入力フォームの場所欄に「東京」の語句を入力したいので、印刷物１ａ上に印刷された語句「東京」２ａを、スキャナ４によりタッチしている。
【００８１】
ドットパターン３には、予め印刷物１ａ上のＸＹ座標値と、印刷物１ａを特定するためのドキュメントＩＤ（識別情報）とが、コード化されており、ユーザが印刷物１ａ上をスキャナ４によりタッチすると、タッチ位置の印刷物１ａ上のＸＹ座標系における座標値（Ｘｔ，Ｙｔ）と、印刷物１ａのドキュメントＩＤとが、情報入力装置５に読み込まれる。
【００８２】
情報入力装置５は、読み込まれたＸＹ座標値と、ドキュメントＩＤと、予め用意してある印刷物１ａの元になった電子データであるＤＴＰ（Desk Top Publishing）データ１ｂ（２次元書式情報）とから、タッチ位置には、語句「東京」２ａがあることを認識（詳細は後述）し、語句「東京」２ａが、情報入力装置５に入力される。
【００８３】
図１（ａ）に示す例では、情報入力装置５に入力された語句「東京」２ａが、画面上に表示された入力フォームの場所欄に記入された様子を示している。
【００８４】
図１（ｂ）において示すように、ＤＴＰデータ１ｂは、独自のｘｙ座標系を持つ。ＤＴＰデータ１ｂに含まれる、テキスト、図表、イラスト、写真等（特定情報）には、これらを選択するために用いられる選択用位置情報が設定されている。
【００８５】
例えば、語句「東京」２ａには、対応するマスク領域２ｂおよび／または中心座標値（ｘｉ，ｙｉ）が設定されている。
【００８６】
図１（ｂ）は、スキャナ４によりタッチされた印刷物１ａ上のタッチ位置の座標値（Ｘｔ，Ｙｔ）から変換された、ＤＴＰデータ１ｂ上におけるタッチ位置の座標値（ｘｔ，ｙｔ）と、語句「東京」２ａに対応するマスク領域２ｂおよび中心座標値（ｘｉ，ｙｉ）との位置関係の例を示している。
【００８７】
例えば、タッチ位置の座標値（ｘｔ，ｙｔ）がマスク領域２ｂに含まれることにより、ＤＴＰデータ１ｂに含まれる多くの特定情報のうち、語句「東京」２ａが、情報入力装置５への入力として選択される。
【００８８】
なお、特定情報を選択する方法は、タッチ位置の座標値（ｘｔ，ｙｔ）から、他の特定情報の中心座標値（ｘｉ，ｙｉ）までの距離よりも、タッチ位置の座標値（ｘｔ，ｙｔ）から、語句「東京」２ａの中心座標値（ｘｉ，ｙｉ）までの距離の方が短いことから、語句「東京」２ａを入力として選択する方法でもよい。特定情報を選択する方法の詳細は、後述する。
＜ドットパターンについて＞
次に、図２〜図７を参照しながら本発明に用いられるドットパターンである、ストリームドットの形成方法の一例について説明する。
【００８９】
図２、３は、ストリームドットパターンを形成する工程の一例を順に示すものである。
【００９０】
本発明に係るドットパターンは、従来のドットパターンとは異なり、まず工程１として媒体表面上の可視的な情報に対応して、情報を入出力させたい箇所に基準ドット１０１を線状に連続して複数個配置する。
【００９１】
図２（ａ）では基準ドット１０１を曲線状に配置しているが、基準ドット１０１の配置はこれに限定されるものではなく、直線と曲線を織り交ぜたり、複数の線分により構成される折れ線状にするなど、情報を入出力させる領域にあわせた形状にドットパターンを形成するための種々の変更が可能である。
【００９２】
また、媒体表面上に可視的に形成された実在線上に基準ドット１０１を配置してもよいし、実在線に沿って所定の規則により基準ドット１０１を配置してもよい。ここでいう実在線とは仮想線に対する概念で、実際に存在している線の全てを含むものである。例えば、実線、破線、点線、直線や曲線などが挙げられ、本発明においては、線が形成される媒体（例えば映像表示装置のディスプレイ）や、線を構成する物質（例えばインク）の如何を問わない。なお、ドットパターンは、印刷やディスプレイ表示、さらに金属やプラスチック上での穴や溝等の凸凹であってもよい。
【００９３】
なお、基準ドットは読取り精度向上の観点から、等間隔に配置することが望ましいが、これに限定されるものではなく、複数の間隔を混在させてドットパターンの一定情報のまとまりを定義したり、一定情報のまとまり内における３つの異なる基準ドットの配置間隔によりドットパターンの一定情報のまとまりとドットパターンの方向の両方を定義することも可能である。
【００９４】
次に、工程２として、線状に配置された基準ドット４を結ぶ、第一の仮想基準線１０２を設ける。図４（ｂ）では第一の仮想基準線６を曲線により設けているが、第一の仮想基準線８はこれに限定されるものではなく、曲線状に配置された基準ドット１０１に対して直線の第一の仮想基準線１０２を設けてもよいし、直線状に配置された基準ドット１０１に対して曲線の第一の仮想基準線１０２を設けてもよい。すなわち、後述する工程３〜工程５における第二の仮想基準線１０３、仮想基準点１０４、情報ドット１０５をどの位置に配置するかによって、基準ドットを結ぶ、直線、折れ線および/または曲線からなる第一の仮想基準線１０２を自由に定義することが可能である。
【００９５】
なお、図４に例を示すように、曲線である場合の第一の仮想基準線１０２は、ベジェ曲線によることが望ましい。
【００９６】
すなわち、まず、第一の仮想基準線１０２上にある基準ドット１０１をＰ０、Ｐ３とし、Ｐ１、Ｐ２を与えられた制御点とする。次に、制御点を順に結んで得られる３つの線分・Ｐ０―Ｐ１、Ｐ１―Ｐ２、Ｐ２―Ｐ３・をそれぞれ１対１の比率で分割する点Ｐ４、Ｐ５、Ｐ６を求める。そして、これらの点を順に結んで得られる２つの線分・Ｐ４―Ｐ５、Ｐ５―Ｐ６・を、それぞれ１対１の比率で分割する点Ｐ７、Ｐ８を求める。
【００９７】
最後に、この２点を結ぶ線分・Ｐ７―Ｐ８・をさらに１対１の比率で分割する点Ｐ９を求め、この点がベジェ曲線上の点となる。
【００９８】
この手順を繰り返し行うことで、Ｐ０、Ｐ１、Ｐ２、Ｐ３を制御点とするベジェ曲線が得られる。
【００９９】
なお、ベジェ曲線に限らず、スプライン関数を利用して求められるスプライン曲線、n次多項式、楕円弧など、種々のアルゴリズムを用いて第一の仮想基準線１０２を設けてもよい。
【０１００】
また、第二の仮想基準線１０３においても、第一の仮想基準線１０２と同様に当該方法を用いて曲線を定義することが可能である。
【０１０１】
次に、工程３として、線状に配置された基準ドット１０１および／または第一の仮想基準線１０２から所定の位置に定義される第二の仮想基準線１０３を設ける。図２（ｃ）では第二の仮想基準線１０３を、隣り合う基準ドット１０１の中間点における第一の仮想基準線１０２の接線に対して垂直線上の所定位置に向かって、隣り合う基準ドット１０１から任意の角度をもって設けているが、第二の仮想基準線１０３はこれに限定されるものではなく、後に示すようにドットパターンにより情報を入出力させたい領域に合わせて仮想基準点を設けるために、種々の方法により定義することが可能である。
【０１０２】
また、第一の仮想基準線１０２に対して片側のみに第二の仮想基準線１０３を設けてドットパターンの方向を定義してもよいし、情報量を増やすために両側各々に設けてもよい。
【０１０３】
次に、工程４として、第二の仮想基準線７上の所定の位置に複数の仮想基準点１０４を設ける。図３（ａ）では仮想基準点１０４を、第二の仮想基準線１０３の交点、すなわち隣り合う基準ドット１０１を結んだ直線を底辺とし、第二の仮想基準線１０３を対辺とする二等辺三角形の頂点に設けているが、仮想基準点７４の位置はこれに限定されるものではなく、第二の仮想基準線１０３の中点に設けたり、第二の仮想基準線１０３上に代えて基準ドット１０１上に設けるなど、種々の変更が可能である。
【０１０４】
そして、工程５として、仮想基準点１０４を始点としてベクトルにより表現した終点に情報ドット１０５を配置する。図３（ｂ）では情報ドット１０５を、仮想基準点１０４からのベクトル方向を８方向、仮想基準点１０４からの距離が等距離となるよう、一個の仮想基準点１０４に対し１個配置しているが、情報ドット１０５の配置はこれに限定されるものではなく、仮想基準点１０４上に配置したり、ベクトル方向を１６方向として配置したり、一個の仮想基準点１０４に対し２個配置するなど、任意の方向に任意の長さに、複数配置することが可能である。
【０１０５】
図５はドットパターンの情報ドットおよびそれに定義されたデータのビット表示の一例を示す拡大図である。
【０１０６】
情報ドット１０５は種々の情報を認識させるドットである。この情報ドット１０５は、仮想基準点１０４を始点としてベクトルにより表現した終点に配置したものである。たとえば、この情報ドット１０５は、図３に示すように、その仮想基準点１０４から０．１ｍｍ離れたドットは、ベクトルで表現される方向と長さを有するために、時計方向に４５度ずつ回転させて８方向に配置し、３ビットを表現している。
【０１０７】
なお、図示例では８方向に配置して３ビットを表現しているが、これに限定されずに、１６方向に配置して４ビットを表現することも可能であり、任意の方向に任意の長さに配置できることはもちろんである。
【０１０８】
さらに、図３（ｂ）では全ての仮想基準点５において、この仮想基準点１０４を始点としてその終点位置に情報ドット１０５を配置したが、これに限定されることなく、仮想基準点上にドットが配置されているか否かで情報を定義するようにしてもよい。たとえば仮想基準点上にドットが配置されていれば「１」、配置されていなければ「０」というように情報を定義することができる。
【０１０９】
図６は情報ドットおよびそこに定義されたデータのビット表示の例であり、他の形態を示すものである。
【０１１０】
また、情報ドット１０５について基準ドット１０１から導き出された仮想基準点１０４から短（図１−５の上段）・長（図１−５の下段）の２種類を使用し、ベクトル方向を８方向とすると、４ビットを表現することができる。このとき、長い方が隣接する仮想基準点５間の距離の２５〜３０％程度、短い方は１５〜２０％程度が望ましい。ただし、長・短の情報ドット３の中心間隔は、これらのドットの径より長くなることが望ましい。
【０１１１】
情報ドット３は、その見栄えを考慮し、１ドットが望ましい。しかし、見栄えを無視し、情報量を多くしたい場合は、１ベクトル毎に、１ビットを割り当てて情報ドット３を複数のドットで表現することにより、多量の情報を有することができる。たとえば、同心円８方向のベクトルでは、基準ドット４から定義された情報ドット３で２８の情報を表現でき、１の一定情報のまとまりの情報ドット８個で２６４となる。
【０１１２】
このように、本発明に係るストリームドットパターンは、本発明者が提唱している従来のドットパターンでは２次元的に格子状に形成される基準ドットとは異なり、曲線を含む線状に連続して配置された基準ドットに基づいて形成される。
【０１１３】
図７は、ストリームドットパターンを上下方向に並べた状態の一例について示す図である。
【０１１４】
同図では、基準ドット、情報ドットの他に、キードットおよびサイドドットを配置している。キードットは、一定情報のまとまりの両端に配置されたドットである。このキードットは、ひとまとまりの情報ドット群を表す１領域分のドットパターン１の代表点である。サイドドットは、キードット２のずれの正負の延長線上に配置されたドットである。
【０１１５】
同図（ｂ）は、基準ドットおよびストリームドットパターンを等間隔に並べている。このように、基準点の間隔が一定のストリームドットパターンが複数並べて形成されることにより、ＸＹ座標値が書き込み領域に隙間なく定義される。しかし、本発明に係るストリームドットパターンはこれに限らず、同図（ａ）に示すように、ドットパターン同士の間隔を任意に設定してよい。また、基準ドット同士の間隔も、任意に設定することができる。
【０１１６】
このように、本発明に係るストリームドットパターンは、本発明者が提唱している従来のドットパターンでは２次元的に格子状に形成される基準ドットとは異なり、曲線を含む線状に連続して配置された基準ドットに基づいて形成される。
【０１１７】
これにより、ドットパターンが２次元コードとして形成される矩形領域の形状でのＸＹ座標値によるインデックスの定義に制約されることなく、媒体表面上に可視的に形成された情報領域に合わせた自由な形状の一定情報のまとまりによるドットパターンを形成することが可能となる。
【０１１８】
このストリームドットパターンを用いることで、地球儀を初めとする曲面体や、人体模型、立体地図などの三次元造形物にもドットパターンを形成することができ、平面地図や絵本等に限らず本発明に係る入出力装置を利用することが可能となる。
＜ドットコードのフォーマットについて＞
【０１１９】
図８に基づき、ドットコードとそのフォーマット例を説明する。ドットコードとは、ドットパターン３に記録される情報である。  
【０１２０】
図７に示すように、ドットパターンは、一定情報のまとまりが定義された情報ドット２行×４列のユニット領域で構成されたドットパターンであり、このユニット内でＣ０〜Ｃ３１に区画されている。各領域のドットコードフォーマットを示したものが（ａ）〜（ｃ）である。
【０１２１】
図８（ａ）は、ドットコードがＸＹ座標値とコード値とパリティとを含むフォーマットの例であり、図８（ｂ）は、ドットパターン３を設ける場所によりフォーマットを変更する例であり、図８（ｃ）は、ドットコードがＸＹ座標値とパリティとを含むフォーマットの例である。
【０１２２】
図８（ａ）において示すフォーマット例では、ドットパターン３を設ける位置のＸ座標値が、ビットＣ０からＣ７の８ビットを用いて表現され、同じくＹ座標値がビットＣ８からＣ１５を用いて表現される。次いで、コード値が、ビットＣ１６からＣ２９の１４ビットを用いて表現される。このコード値には、ドットパターン３の使用目的に合わせて、任意の情報を表すために用いる事が出来る。本実施形態では、ドキュメントＩＤを表現するために用いる事が出来る。最後にドットコードのパリティとして、ビットＣ３０およびＣ３１の２ビットが使用される。なお、パリティの計算方法は、一般的に知られている方法を用いればよいので、説明は省略する。
【０１２３】
図８（ｂ）において示すフォーマット例では、ドットパターン３を設ける場所によりフォーマットが変更される。この例では、ドットパターン３を設ける場所を、ＸＹ座標領域とコード値領域とに区分する。ＸＹ座標領域では、ＸＹ座標領域用フォーマットが用いられ、コード値領域では、コード値領域用フォーマットが用いられる。
【０１２４】
ＸＹ座標領域用フォーマットでは、Ｘ座標がビットＣ０からＣ１４の１５ビットを用いて表され、同じくＹ座標がＣ１５からＣ２９の１５ビットを用いて表現される。また、コード値領域用フォーマットでは、コード値がＣ０からＣ２９の３０ビットを用いて表現される。
【０１２５】
なお、読み取られた情報がＸＹ座標値を表すものであるか、コード値を表すものであるかの区別が出来るように、ＸＹ座標値およびコード値を表すビット列が重ならない様に、ビット列の表現規則を決めておくのがよい。
【０１２６】
このように、図８（ｂ）に示すフォーマット例では、図８（ａ）に示すフォーマット例に較べ、より多くのビットをＸＹ座標値およびコード値に割り当てることができるので、より広範囲のＸＹ座標値およびより多くのコード値を表現することが出来る。
【０１２７】
図８（ｃ）において示すフォーマット例では、図８（ｂ）のＸＹ座標領域用フォーマットと同じフォーマットが用いられる。コード値の欄がフォーマット中に無いので、ドキュメントＩＤを直接ドットパターン３に記録することは出来ず、ＸＹ座標値の割り当て領域を区分することにより、間接的にドキュメントＩＤを区別する。
【０１２８】
例えば、Ｘ座標が０から１００の範囲にあり、Ｙ座標が０から１００の範囲にある領域は、ドキュメントＩＤ＝１のＤＴＰデータ専用に割り当てる。同様に、ドキュメントＩＤ＝２のＤＴＰデータには、Ｘ座標が１０１から２００の範囲にあり、Ｙ座標が０から１００の範囲にある領域を割り当てる。この様な割り当てを予め行うことにより、例えば、ドットパターン３から読み込まれたＸＹ座標値が（１５０，５０）である場合、この座標値は、Ｘ座標が１０１から２００の範囲にあり、Ｙ座標が０から１００の範囲にある領域に含まれることから、このドットパターン３が設けられている印刷物１ａのドキュメントＩＤは２であると特定することが出来る。
＜ドキュメントＩＤの入力方法について＞
【０１２９】
印刷物１ａがいずれのＤＴＰデータに対応するかを示すドキュメントＩＤは、前記において説明したように、印刷物１ａ上に印刷されるドットパターン３の少なくとも一部の領域において、ＸＹ座標値と共にドットコードに含めて設定されてもよいし、印刷物１ａ上をＸＹ座標値のみを含むドットコードの領域とドキュメントＩＤのみを含むドットコードの領域とに分けて印刷してもよい。
【０１３０】
また、ドキュメントＩＤは、ユーザがキーボード等の入力手段を用いて、手動により情報入力装置５に入力されてもよい。
＜印刷物の構造について＞
【０１３１】
図９に基づき、印刷物１ａの構造を説明する。図９は、印刷物１ａの断面図であり、図９（ａ）は、赤外線が印刷媒体１ｃの何も印刷されていない箇所に当たり拡散反射する様子を示す図であり、図９（ｂ）は、赤外線が印刷物１ａのコンテンツ印刷箇所に当たり拡散反射する様子を示す図であり、図９（ｃ）は、赤外線がドットパターン３に当たり吸収される様子を示す図である。なお、ここでは、図示し易いように、インクが印刷媒体の表面上に盛り上がる様に示しているが、このような配置になるのは、印刷媒体１ｃがインクを吸収しない特性を有する場合と、印刷媒体１ｃはインクを吸収する特性を有するがインクの粘性が極めて高い場合とであり、通常は、印刷媒体ににじむ様に印刷される。
【０１３２】
図９（ａ）に示すように、印刷媒体１ｃの、コンテンツおよびドットパターン３が印刷される表面は、赤外線を拡散反射する特性を持つことが望ましい。その理由は、印刷媒体１ｃの表面が赤外線を鏡面反射する特性を持つ場合、スキャナ４により読み取られる面の一部からの反射光がレンズ（後述）に適切に入射せず、読み取った画像の一部が暗く写ってしまい、画像解析が困難になるためである。
【０１３３】
図９（ｂ）において、赤外線拡散反射インク１０を用いて印刷した箇所に赤外線が当たり拡散反射する様子と、赤外線透過インク１１を用いて印刷した箇所に赤外線が当たり、赤外線が赤外線透過インク１１を透過した後、印刷媒体１ｃの表面において拡散反射する様子とを示す。
【０１３４】
図９（ｃ）において、上から順に、ドットパターン３と赤外線拡散反射インク１０とが重畳印刷された表面において、ドットパターン３に向かって入射した赤外線が吸収される様子と、ドットパターン３のみが印刷された表面において、ドットパターン３に向かって入射した赤外線が吸収される様子と、ドットパターン３と赤外線透過インク１１とが重畳印刷された表面において、ドットパターン３に向かって入射した赤外線が吸収される様子とを示す。
【０１３５】
このように、ドットパターン３と、赤外線拡散反射インク１０または赤外線透過インク１１とを重畳印刷した場合、粘性が極めて高いと、先に印刷したドットパターン３の周りにドーナツ状に赤外線拡散反射インク１０または赤外線透過インク１１が配置される。通常の粘性のインクであれば、互いににじみ合う。
【０１３６】
スキャナ４は、印刷物１ａのドットパターン３が印刷された読み取り面に対して赤外線を照射し、その反射光を画像として撮影する（詳細は後述）ので、赤外線吸収インクにより印刷されたドットパターン３は、画像において、黒く表され、赤外線を拡散反射する箇所は、白く表される。
【０１３７】
なお、赤外線拡散反射インク１０および赤外線透過インク１１は、可視光の特定の波長を反射または吸収する特性を持つので、これらのインクを用いて印刷された印刷物１ａを人が見る場合、印刷されたコンテンツを通常の印刷と同様に読むことが出来る。
【０１３８】
このように、印刷媒体１ｃ上にドットパターン３を印刷し、さらにその上にコンテンツを重畳印刷する際に用いるインクを、赤外線拡散反射インク１０と赤外線透過インク１１とで切り替えることにより、様々な、ドットパターン印刷とコンテンツ印刷の組み合わせを実現することが出来る。
＜スキャナ４について＞
【０１３９】
図１０において、スキャナ４の構造のうち、ドットパターン３を読み取る部分の構造と、印刷物１ａ上のドットパターン３を読み取る様子を示す。スキャナ４は、赤外線を照射する手段であるＩＲ−ＬＥＤと、ＩＲ−ＬＥＤから照射された赤外線が印刷物１ａの表面において反射された反射光を集光するレンズと、レンズを通過した反射光のうち所定の波長成分をカットするＩＲフィルタと、撮像素子であるＣ−ＭＯＳセンサとを内蔵している。
【０１４０】
スキャナ４は、印刷物１ａに赤外線を照射し、印刷媒体１ｃの表面および赤外線拡散反射インク１０により印刷された箇所から拡散反射された反射光を撮影する。上述したように、ドットパターン３は赤外線を吸収する特性を有するインクで印刷されているため、Ｃ−ＭＯＳセンサにおいて撮像された画像では、ドットパターン３のドット部分のみ黒く撮像されることとなる。
【０１４１】
また、スキャナ４は、前記の構成に加えて、中央処理装置（図示せず）を備えており、中央処理装置は、Ｃ−ＭＯＳセンサから入力されたドットパターン３を、解析ソフトウェアにより解析し、ドットコードに変換して出力する。
【０１４２】
なお、スキャナ４は、中央処理装置および解析ソフトウェアの代わりに、同様の機能を備えたハードウェア回路を備えていてもよい。
【０１４３】
また、ドットパターン３を解析してドットコードに変換する処理は、スキャナ４上の中央処理装置により行う代わりに、スキャナ４が接続された装置、例えばパーソナルコンピュータ上において処理を行う構成でもよい。
【０１４４】
スキャナ４とスキャナ４が接続される装置との間は、ＵＳＢケーブルなどの有線方式により接続されてもよいし、無線方式により接続されてもよい。
＜情報入力装置５の構成について＞
【０１４５】
図１１において、本実施形態に係る情報入力装置５の機能ブロック図を示す。情報入力装置５は、スキャナ４と、ドキュメント管理部２０（２次元書式情報保管選択手段）と、座標変換部３０（座標変換手段）と、特定情報選択部４０（特定情報選択手段）とを備えている。
【０１４６】
スキャナ４は、印刷物１ａ上においてユーザがスキャナ４を用いてタッチした位置のドットパターン３を読み込み、ドットコードに変換後、ドットコード内のドキュメントＩＤ部分をドキュメント管理部２０に出力する。また、スキャナ４は、ドットコード内のＸＹ座標値（ｘｔ，ｙｔ）部分を座標変換部３０に出力する。なお、ここでは、ドットコードが、ＸＹ座標値およびコード値を含む場合について説明する。
【０１４７】
ドキュメント管理部２０は、スキャナ４から入力されたドキュメントＩＤを用いて、ドキュメント管理部２０内に予め保存されている、ドキュメントのＤＴＰデータを検索する。そして、入力されたドキュメントＩＤに対応したＤＴＰデータ１ｂを座標変換部３０および特定情報選択部４０に出力する。
【０１４８】
座標変換部３０は、スキャナ４から入力されたＸＹ座標値（Ｘｔ，Ｙｔ）と、ドキュメント管理部２０から入力されたＤＴＰデータ１ｂとを用いて、タッチ位置の座標を、印刷物１ａ上の座標系におけるＸＹ座標値（Ｘｔ，Ｙｔ）から、ＤＴＰデータ１ｂ上の座標系におけるｘｙ座標値（ｘｔ，ｙｔ）に変換し、変換したｘｙ座標値（ｘｔ，ｙｔ）を特定情報選択部４０に出力する。
【０１４９】
特定情報選択部４０は、ドキュメント管理部２０から入力されたＤＴＰデータ１ｂと、座標変換部３０から入力されたｘｙ座標値（ｘｔ，ｙｔ）とを用いて、ＤＴＰデータ１ｂに含まれるテキスト、図表、イラスト、写真等の特定情報のうち、ユーザがタッチ操作により指示したと考えられる特定情報を選択し出力する。特定情報の選択方法の詳細は後述するが、例えば、タッチ位置のｘｙ座標値（ｘｔ，ｙｔ）から最も近い位置にある特定情報を選択する方法などがある。
【０１５０】
特定情報選択部４０から出力された特定情報が、他の機器等において、入力として利用される。
【０１５１】
なお、情報入力装置５の具体例としては、パーソナルコンピュータ、ＰＤＡ、テレビ受信装置、フロントプロジェクタ、リアプロジェクタ、ゲーム装置、カラオケ装置、携帯電話端末装置、ＰＯＳ端末装置、ＡＴＭ、ＫＩＯＳＫ端末、カーナビ、パチンコ、時計、スマートフォン等が挙げられる。
＜ＤＴＰデータについて＞
【０１５２】
本実施形態では、２次元書式情報の例として、ＤＴＰデータを挙げている。ＤＴＰデータは、さらに具体的には、ワードプロセッサなどのＤＴＰソフトウェアや、ＣＡＤソフトウェア、ＨＴＭＬ、ＸＭＬ、フラッシュ、ＰＤＦ等の形式のファイルを作成するオーサリングソフトウェア等により作成された電子データであり、その電子データには、例えば、テキスト本文に加えて、そのテキストを表示したり印刷したりする際に使用するフォント（ベクターフォント）の種類および大きさの指定やレイアウト情報などが含まれている。
【０１５３】
また、ＤＴＰデータには、図表、イラスト、写真等を含む場合、各画像データが格納されているファイルの名前や、表示したり印刷したりする際に、それらが占める領域の位置情報なども含まれている。
【０１５４】
ＤＴＰデータは、ドキュメントＩＤにより、一意に特定できるように管理される。ＤＴＰデータを印刷した時に複数ページとなる場合、すなわち、印刷物１ａが複数ページにより構成されている場合には、ドキュメントＩＤは、その各ページを区別できるように構成されていることが望ましい。
【０１５５】
なお、ＤＴＰデータは、地図データであってもよい。
＜選択用位置情報について＞
【０１５６】
ＤＴＰデータ中のテキスト、図表、イラスト、写真等の特定情報には、これらのうちいずれの特定情報がユーザにより指示されたかを、タッチ位置のｘｙ座標（ｘｔ，ｙｔ）との位置関係から判断するために、選択用位置情報が設けられる。
【０１５７】
選択用位置情報を各特定情報に対して設定するタイミングは、ＤＴＰデータをドキュメント管理部２０に格納する際に予め設定されていてもよいし、特定情報選択部４０が、ドキュメント管理部２０からＤＴＰデータ１ｂを受け取った後に、特定情報選択部４０により設定されてもよい。
【０１５８】
また、特定情報選択部４０は、ドキュメント管理部２０から受け取ったＤＴＰデータ１ｂの全体を一度に解析して、ＤＴＰデータ１ｂに含まれるすべての特定情報に対する選択用位置情報を設定してもよいし、ＤＴＰデータ１ｂのうち、タッチ位置の座標値（ｘｔ，ｙｔ）近傍にある特定情報のみを解析し、選択用位置情報を設定してもよい。
【０１５９】
特定情報の解析方法としては、特定情報がテキストの場合、一般的に知られている通常の構文解析方法を用いればよい。また、特定情報が階層化されたオブジェクトの集合として表される、図表、イラスト、ＣＡＤデータ（点、線分、平面、立体物等）である場合は、その階層構造およびオブジェクトを扱えるソフトウェア等により、解析を行えばよい。また、特定情報がビットマップにより表されるイラストまたは写真等である場合は、ＤＴＰデータに含まれるそれら特定情報のファイル名からビットマップのデータを取得し、一般的に知られている通常の画像解析方法を用いてビットマップを解析すればよい。
【０１６０】
図１２において、特定情報の選択用位置情報として、オブジェクトの中心座標値または図心座標値を用いる場合の例を示す。図１２（ａ）は、特定情報がテキストの場合の例であり、図１２（ｂ）は、特定情報が図表（パイチャート）の場合の例であり、図１２（ｃ）は、特定情報がイラスト・写真の場合の例である。なお、この図では、オブジェクトの中心座標値または図心座標値の位置を示すために、プラス印のマークを用いているが、このマークは、説明のために示したものであり、印刷または表示されるものではない。
【０１６１】
図１２（ａ）に示す例では、特定情報として、語句「花の都」、「大阪」、および「東京タワー」が示されている。語句「東京タワー」に対しては、その表示領域の中心が選択用位置情報として設定されている。
【０１６２】
これに対し、語句「花の都」の場合は、語句を構成する各文字の間隔が離れており、その表示領域の中心座標値のみを選択用位置情報として設定すると、ユーザが語句「花の都」を選択するために文字「花」の近傍をタッチした際、語句「花の都」の中心座標値とタッチ位置の座標値とが離れているため、語句「花の都」が選択されない可能性が高い。
【０１６３】
そのため、語句を構成する各文字の間隔が離れている場合は、その語句を構成する各文字に対して、各文字の中心座標値を選択用位置情報として設定するのがよい。
【０１６４】
なお、ユーザが文字「花」の近傍をタッチした場合、ユーザが指定したい語句は、語句「花の都」であるか語句「花」であるかの判断を、特定情報選択部４０が出来ない場合がある。その場合、特定情報選択部４０は、語句「花の都」および語句「花」の両方を選択候補としてユーザに提示し、ユーザが所望の語句を選択候補から選択する構成としてもよい。
【０１６５】
また、語句「大阪」の場合、改行により文字「大」と文字「阪」との間隔が離れてしまっている。この場合も、選択用位置情報として、各文字に対して、文字の中心座標値を設定することにより、ユーザは、適切に語句「大阪」を選択することが出来る。
【０１６６】
図１２（ｂ）に示す例では、特定情報として、パイチャートおよびそのパイチャートを構成するパイが示されている。パイチャート全体の選択用位置情報として、円の中心点座標が設定されると共に、２７％、１８％、および５５％の各パイ（それぞれ、オブジェクトＡ、Ｂ、およびＣとする）の図心座標値が、各オブジェクトの選択用位置情報として設定される。
【０１６７】
図１２（ｃ）に示す例では、特定情報として、河馬（オブジェクトＤ）および熊（オブジェクトＥ）のイラストの輪郭が示されている。各オブジェクトの図心座標値が選択用位置情報として設定される。なお、設定される図心座標値は、正確に計算される必要はなく、オブジェクトの選択が適切に出来る程度の概算値であればよい。
【０１６８】
このように、一つの大きなオブジェクトが複数の小さなオブジェクトにより構成されている場合、これらの小さなオブジェクト毎に選択用位置情報を設定することにより、ユーザはより柔軟な特定情報の指示を行うことが出来る。
【０１６９】
図１３において、テキストおよび語句を特定情報とする場合の、他の選択用位置情報の例を示す。図１３（ａ）は、語句の始点座標と高さを選択用位置情報とする例であり、図１３（ｂ）は、語句の始点座標と終点座標と高さとを選択用位置情報とする例であり、図１３（ｃ）は、語句を構成する文字が離れている場合に文字ごとの始点座標と終点座標と高さとを選択用位置情報とする例である。
【０１７０】
図１３（ａ）に示す例では、語句「東京」の高さｈｉと、語句「東京」が占める長方形の領域の左辺（長さはｈｉ）の中点の座標値（ｘｉ，ｙｉ）とを、選択用位置情報としている。
【０１７１】
図１３（ｂ）に示す例では、語句「東京」の高さｈｉと、語句「東京」の幅を示す、高さ方向において任意の位置の線分の始点座標（ｘｉ１，ｙｉ１）および終点座標（ｘｉ２，ｙｉ２）とを、選択用位置情報としている。
【０１７２】
図１３（ｃ）に示す例では、語句「大阪」を構成する各文字が離れているので、文字「大」および「阪」のそれぞれに対して、図１３（ｂ）に示す例と同様に、文字の高さと幅を示す線分とにより選択用位置情報を設定している。すなわち、文字「大」は、高さｈｉ１と、始点座標（ｘｉ１１，ｙｉ１１）と、終点座標（ｘｉ１２，ｙｉ１２）とを選択用位置情報として有し、文字「阪」は、高さｈｉ２と、始点座標（ｘｉ２１，ｙｉ２１）と、終点座標（ｘｉ２２，ｙｉ２２）とを選択用位置情報として有している。
【０１７３】
なお、テキスト、語句、および文字に対して、図１３に示す各種の選択用位置情報を用いることにより、これらテキスト、語句、および文字の占める領域の位置、高さ、および幅がわかるので、ｘｙ座標系における、これらテキスト、語句、および文字のマスク領域を容易に計算することが出来る。
【０１７４】
また、選択用位置情報は、前記マスク領域に含まれる全ての座標値（ｘｉａ，ｙｉａ）の集合とマスク領域の輪郭部の座標値（ｘｉｅ，ｙｉｅ）の集合とから構成されてもよい。
【０１７５】
なお、図表、イラスト、写真等を特定情報とする場合にも、これらオブジェクトの輪郭部を定めることにより、オブジェクトに含まれる全ての座標値（ｘｉａ，ｙｉａ）の集合とオブジェクトの輪郭部の座標値（ｘｉｅ，ｙｉｅ）の集合とを選択用位置情報としてもよい。
【０１７６】
なお、ＤＴＰデータが、地図データの場合、道路により囲まれた領域、地物領域、道路中心線、および／または地物図心が選択用位置情報となる。地図データ内では、特定情報がテキスト、道路、地物、交差点等のカテゴリに分類される。特定情報を選択する際、いずれかのカテゴリを選択して、特定情報を認識する。当然、特定情報の候補から選択してもよいし、予めカテゴリを選択してからタッチしてもよい。
＜タッチ操作について＞
【０１７７】
図１４から図１６に基づき、ユーザが印刷物１ａ上の特定情報を指定する際に、スキャナ４を用いて行う操作について説明する。
【０１７８】
図１４において、スキャナ４を用いて、ユーザが特定情報の１点にタッチする操作の例を示す。タッチ位置の座標値（Ｘｔ，Ｙｔ）が、点座標として、特定情報選択部４０に認識される。
【０１７９】
図１５において、スキャナ４を用いて、ユーザが特定情報の１点にタッチした後、指定したい特定情報上をなぞる操作の例を示す。タッチしてなぞった軌跡の座標値（Ｘｔ，Ｙｔ）が、線分として、特定情報選択部４０に認識される。
【０１８０】
この操作法を用いると、例えば、語句「東京」２ａ全体をなぞった場合には、語句「東京」２ａが、入力する特定情報として特定情報選択部４０に認識されるのに対し、文字「東」のみをなぞった場合には、文字「東」のみが、入力する特定情報として特定情報選択部４０に認識させることが出来る。
【０１８１】
図１８において、スキャナ４を用いて、ユーザが特定情報の１点にタッチした後、指定したい特定情報の周囲をなぞって囲む操作の例を示す。タッチしてなぞって囲んだ軌跡の座標値（Ｘｔ，Ｙｔ）が、閉曲線として、特定情報選択部４０に認識される。
【０１８２】
なお、なぞって囲む操作により、完全な閉曲線が形成されない場合、特定情報選択部４０は、タッチしてなぞった軌跡の始点と終点とを結ぶ補正により、完全な閉曲線を形成してもよい。
【０１８３】
この操作法を用いると、タッチしてなぞる操作と同様に、語句「東京」２ａの指定と文字「東」の指定とを区別するような、特定情報の正確な指示を情報入力装置５に与えることが出来る。
【０１８４】
なお、ここでいう囲む操作には、指定したい特定情報が中に含まれるように完全に囲む場合と、なぞった軌跡が特定情報上に重なるように囲む場合とが含まれる。なぞった軌跡が特定情報上に重なるように囲む場合には、少なくとも選択用位置情報が表す位置が囲まれていればよい。もし、少なくとも選択用位置情報が表す位置が囲まれていない場合は、なぞった軌跡を構成する複数の座標値（ｘｔ，ｙｔ）から最も近い、選択用位置情報の位置に対応した特定情報が選択される。
＜特定情報の選択方法について＞
【０１８５】
図１７から図１９に基づき、タッチ位置の座標値（ｘｔ，ｙｔ）と各特定情報に備えられた選択用位置情報とから、特定情報を選択する方法について説明する。なお、ユーザによるタッチ操作が３種類あり、選択用位置情報の種類が３種類あるので、以下では、これらの組み合わせとして、９通りのケースについて、特定情報の選択方法を説明する。
【０１８６】
ケース１：タッチ操作の軌跡が点であり、選択用位置情報が中心点の場合
特定情報選択部４０は、タッチ位置の座標値（ｘｔ，ｙｔ）の点から最も近い中心座標（ｘｉ，ｙｉ）または図心座標（ｘｉ，ｙｉ）を持つ特定情報を選択する。
【０１８７】
ケース２：タッチ操作の軌跡が点であり、選択用位置情報が線分の場合
図１９において、ユーザがタッチ操作により特定情報の指定を行い、かつ語句「東京」２ａが選択用位置情報として、線分を持っている場合の、特定情報を選択する方法の例を示す。
【０１８８】
図１７（ａ）は、タッチ位置の座標値（ｘｔ，ｙｔ）の点から線分に対して下ろした垂線の足が線分と交わらない場合の例である。この場合、座標値（ｘｔ，ｙｔ）の点から線分までの距離ｄは、座標値（ｘｔ，ｙｔ）と線分の始点座標値（ｘｉ１，ｙｉ１）または終点座標値（ｘｉ２，ｙｉ２）との距離のうち、いずれか短い方となる。
【０１８９】
図１７（ｂ）は、タッチ位置の座標値（ｘｔ，ｙｔ）の点から線分に対して下ろした垂線の足が線分と交わる場合の例である。この場合、座標値（ｘｔ，ｙｔ）の点から線分までの距離ｄは、座標値（ｘｔ，ｙｔ）の点から線分に対して下ろした垂線の長さとなる。
【０１９０】
特定情報選択部４０は、前記の方法により、各特定情報を表す線分とタッチ位置の座標値（ｘｔ，ｙｔ）の点との距離ｄを求め、距離ｄが最も短くなる特定情報を選択する。
【０１９１】
ケース３：タッチ操作の軌跡が点であり、選択用位置情報がマスク領域の場合
図１８において、ユーザがタッチ操作により特定情報の指定を行い、かつ語句「東京」２ａが選択用位置情報として、マスク領域２ｂを持っている場合に、特定情報を選択する方法の例を示す。
【０１９２】
この方法では、タッチ位置の座標値（ｘｔ，ｙｔ）が、マスク領域内の全座標値（ｘｉａ，ｙｉａ）のいずれかと一致すれば、特定情報選択部４０は、一致した座標値を持つ特定情報を選択する。もし一致する座標値が無い場合は、タッチ位置の座標値（ｘｔ，ｙｔ）から最も近い、マスク領域輪郭部の座標値（ｘｉｅ，ｙｉｅ）を持つ特定情報を選択すればよい。
【０１９３】
このマスク領域を利用する選択方法は、テキストのみならず、図表、イラスト、写真等のオブジェクトが特定情報である場合にも使用できる。
【０１９４】
図１８（ａ）は、タッチ位置の座標値（ｘｔ，ｙｔ）がマスク領域２ｂ内である場合の例である。この場合、特定情報選択部４０は、マスク領域２ｂに対応した特定情報である語句「東京」２ａを選択する。
【０１９５】
図１８（ｂ）は、タッチ位置の座標値（ｘｔ，ｙｔ）が、語句「東京」２ａのマスク領域２ｂ内にも、語句「大阪」２ａ’のマスク領域２ｂ’内にも入らない場合の例である。この場合、特定情報選択部４０は、タッチ位置の座標値（ｘｔ，ｙｔ）からマスク領域２ｂおよびマスク領域２ｂ’までの距離ｄ１およびｄ２を求め、これらの距離を比較する。距離ｄ１の方が短いので、特定情報選択部４０は、マスク領域２ｂに対応した特定情報である語句「東京」２ａを選択する。
【０１９６】
ケース４：タッチ操作の軌跡が線分であり、選択用位置情報が中心点の場合
特定情報選択部４０は、ケース２と同様に、中心座標（ｘｉ，ｙｉ）または図心座標（ｘｉ，ｙｉ）から、軌跡の線分までの距離ｄが最も短くなる特定情報を選択する。
【０１９７】
ケース５：タッチ操作の軌跡が線分であり、選択用位置情報が線分の場合
特定情報選択部４０は、例えば、軌跡である線分の始点座標値（ｘｔ１，ｙｔ１）と、終点座標値（ｘｔ２，ｙｔ２）と、選択用位置情報である線分の始点座標値（ｘｉ１，ｙｉ１）と、終点座標値（ｘｉ２，ｙｉ２）とにより形成される四角形の面積が最小となる特定情報を選択する。
【０１９８】
ケース６：タッチ操作の軌跡が線分であり、選択用位置情報がマスク領域の場合
特定情報選択部４０は、軌跡である線分を構成する複数の座標値（ｘｔ，ｙｔ）のうち、最も多くの座標値（ｘｔ，ｙｔ）が含まれるマスク領域を持つ特定情報を選択する。
【０１９９】
ケース７：タッチ操作の軌跡が閉曲線であり、選択用位置情報が中心点の場合
図２１において、ユーザがタッチしてなぞって囲む操作により特定情報の指定を行い、かつ語句「東京」２ａが選択用位置情報として、中心座標値（ｘｉ，ｙｉ）を持っている場合に、特定情報を選択する方法の例を示す。この場合、特定情報選択部４０は、なぞって囲む操作により入力された軌跡により囲まれた選択用位置情報を有する特定情報を選択する。
【０２００】
ケース８：タッチ操作の軌跡が閉曲線であり、選択用位置情報が線分の場合
特定情報選択部４０は、ケース６と同様に、選択用位置情報である線分を構成する複数の座標値（ｘｉ，ｙｉ）のうち、最も多くの座標値が、軌跡である閉曲線内に含まれる特定情報を選択する。
【０２０１】
ケース９：タッチ操作の軌跡が閉曲線であり、選択用位置情報がマスク領域の場合
特定情報選択部４０は、軌跡である閉曲線とマスク領域との重なりの面積が最大となる特定情報を選択する。
＜情報入力処理の手順について＞
【０２０２】
図２０に示すフローチャートに基づき、情報入力装置５が行う情報入力処理の手順について説明する。なお、以下では、１つのドットコードがＸＹ座標値およびコード値の両方を含む場合であり、かつ印刷物１ａ上の語句「東京」２ａに対応したＤＴＰデータ１ｂ内の特定情報には選択用位置情報として予めマスク領域２ｂが設定されている場合について説明する。
【０２０３】
まず、ユーザがスキャナ４を用いて所望の特定情報を指定する操作を行うと、スキャナ４が、ユーザがスキャナ４を用いてタッチした、印刷物１ａ上の箇所に印刷されているドットパターン３を読み取る。読み取られたドットパターン３は、スキャナ４の中央処理装置において、解析ソフトウェアによりドットコードに変換される。スキャナ４は、変換したドットコードのうち、ドキュメントＩＤ部分を、ドキュメント管理部２０に送り、ＸＹ座標値部分を座標変換部３０に送る（ステップ１０、以下Ｓ１０と略す）。
【０２０４】
次に、ドキュメント管理部２０が、スキャナ４から受け取ったドキュメントＩＤを用いて、予め保管されているＤＴＰデータの中から、そのドキュメントＩＤに対応するＤＴＰデータ１ｂを選択する。そして選択したＤＴＰデータ１ｂを座標変換部３０および特定情報選択部４０に送る（Ｓ２０）。
【０２０５】
次に、座標変換部３０が、スキャナ４から受け取ったＸＹ座標系の座標値（Ｘｔ，Ｙｔ）を、ドキュメント管理部２０から受け取ったＤＴＰデータ１ｂ内のｘｙ座標系における座標値（ｘｔ，ｙｔ）に変換する（Ｓ３０）。
【０２０６】
次に、特定情報選択部４０が、座標変換部３０から受け取った座標値（ｘｔ，ｙｔ）に基づき、ドキュメント管理部２０から受け取ったＤＴＰデータ１ｂ内の特定情報のうち、適切な特定情報を選択する（Ｓ４０）。特定情報選択部４０は、選択した特定情報を、他の機器の入力となるように、または情報入力装置５において行われる次の任意の処理の入力となるように、出力する。
【０２０７】
図２１に示すフローチャートに基づき、前記Ｓ４０において行われる特定情報の選択処理について詳細に説明すると、以下の通りである。
【０２０８】
まず、特定情報選択部４０は、ユーザのタッチ操作により得られたタッチ位置の座標値（ｘｔ，ｙｔ）の軌跡が、点であるか否かを判断する（Ｓ４１ａ）。
【０２０９】
点である場合は、Ｓ４２ａの処理に進む。
【０２１０】
点でない場合は、Ｓ４１ｂの処理に進む。
【０２１１】
次に、特定情報選択部４０は、点の座標値（ｘｔ，ｙｔ）がマスク領域２ｂ内の全座標値（ｘｉａ，ｙｉａ）のいずれかと一致するか否かを判断する（Ｓ４２ａ）。
【０２１２】
一致する場合には、Ｓ４３ａの処理に進む。
【０２１３】
一致しない場合には、Ｓ４４ａの処理に進む。
【０２１４】
Ｓ４２ａにおいて、点の座標値（ｘｔ，ｙｔ）がマスク領域２ｂ内の全座標値（ｘｉａ，ｙｉａ）のいずれかと一致する場合、特定情報選択部４０は、点の座標値（ｘｔ，ｙｔ）と一致する座標値（ｘｉａ，ｙｉａ）を持つ特定情報を選択して処理を終了する（Ｓ４３ａ）。
【０２１５】
Ｓ４２ａにおいて、点の座標値（ｘｔ，ｙｔ）がマスク領域２ｂ内の全座標値（ｘｉａ，ｙｉａ）のいずれとも一致しない場合、特定情報選択部４０は、点の座標値（ｘｔ，ｙｔ）に最も近い、輪郭部の座標値（ｘｉｅ，ｙｉｅ）を持つ特定情報を選択し、処理を終了する（Ｓ４４ａ）。
【０２１６】
Ｓ４１ａにおいて、タッチ位置の座標値（ｘｔ，ｙｔ）の軌跡が、点ではない場合、特定情報選択部４０は、次に、タッチ位置の座標値（ｘｔ，ｙｔ）の軌跡が、線分であるか否かを判断する（Ｓ４１ｂ）。
【０２１７】
線分である場合は、Ｓ４２ｂの処理に進む。
【０２１８】
線分でない場合は、Ｓ４１ｃの処理に進む。
【０２１９】
Ｓ４１ｂにおいて、タッチ位置の座標値（ｘｔ，ｙｔ）の軌跡が、線分である場合、特定情報選択部４０は、線分の少なくとも一部がマスク領域２ｂ内に含まれるか否かを判断する（Ｓ４２ｂ）。
【０２２０】
線分の少なくとも一部がマスク領域２ｂ内に含まれる場合は、Ｓ４３ｂの処理に進む。
【０２２１】
線分がマスク領域２ｂ内に含まれない場合は、Ｓ４４ｂの処理に進む。
【０２２２】
Ｓ４２ｂにおいて、線分の少なくとも一部がマスク領域２ｂ内に含まれる場合、特定情報選択部４０は、最も多くの座標値（ｘｔ，ｙｔ）をマスク領域内に含む特定情報を選択し、処理を終了する（Ｓ４３ｂ）。
【０２２３】
Ｓ４２ｂにおいて、線分がマスク領域２ｂ内に含まれない場合、特定情報選択部４０は、線分に最も近い輪郭部の座標値（ｘｉｅ，ｙｉｅ）を持つ特定情報を選択し、処理を終了する（Ｓ４４ｂ）。
【０２２４】
Ｓ４１ｂにおいて、タッチ位置の座標値（ｘｔ，ｙｔ）の軌跡が、線分ではない場合、特定情報選択部４０は、次に、タッチ位置の座標値（ｘｔ，ｙｔ）の軌跡が、閉曲線であるか否かを判断する（Ｓ４１ｃ）。
【０２２５】
閉曲線である場合は、Ｓ４２ｃの処理に進む。
【０２２６】
閉曲線でない場合は、必要に応じエラー処理等を行い、処理を終了する。
【０２２７】
Ｓ４１ｃにおいて、タッチ位置の座標値（ｘｔ，ｙｔ）の軌跡が、閉曲線である場合、特定情報選択部４０は、閉曲線により囲まれた領域の少なくとも一部がマスク領域２ｂと重なるか否かを判断する（Ｓ４２ｃ）。
【０２２８】
重なる場合は、Ｓ４３ｃの処理に進む。
【０２２９】
重ならない場合は、Ｓ４４ｃの処理に進む。
【０２３０】
Ｓ４２ｃにおいて、閉曲線により囲まれた領域の少なくとも一部がマスク領域２ｂと重なる場合、特定情報選択部４０は、閉曲線により囲まれた領域と最も多くの重なりを持つマスク領域２ｂに対応した特定情報を選択し、処理を終了する（Ｓ４３ｃ）。
【０２３１】
Ｓ４２ｃにおいて、閉曲線により囲まれた領域がいずれのマスク領域２ｂとも重ならない場合、特定情報選択部４０は、閉曲線により囲まれた領域に最も近い輪郭部の座標値（ｘｉｅ，ｙｉｅ）を持つ特定情報を選択し、処理を終了する（Ｓ４４ｃ）。
［第２の実施形態］
【０２３２】
本発明に係る情報入力装置のうち、コンテンツと共にドットパターンが印刷された媒体を用い、かつＤＴＰデータをネットワーク上のサーバから取得する一実施形態について、図２４に基づいて説明すると、以下の通りである。
【０２３３】
なお、以下では、第１の実施形態と異なる箇所のみを説明し、同様の箇所に関しては説明を省略する。
＜情報入力装置５ａおよび情報処入力システムの構成について＞
【０２３４】
図２２において、本実施形態に係る情報入力装置５ａの機能ブロック図を示す。情報入力装置５ａは、スキャナ４ａと、座標変換部３０ａと、特定情報選択部４０ａと、通信部５０（通信手段）とを備えている。
【０２３５】
また、本実施形態に係る情報入力システムは、情報入力装置５ａと、ドキュメント管理サーバ１３（２次元書式情報サーバ）と、これらを接続するネットワークとから構成される。
【０２３６】
情報入力装置５ａにおいて、スキャナ４ａは、タッチ位置のドットパターン３を読み込み、ドットコードのうちドキュメントＩＤ部分を通信部５０に送り、ドットコードのうちＸＹ座標値部分を座標変換部３０ａに送る。
【０２３７】
通信部５０は、スキャナ４ａから受け取ったドキュメントＩＤをドキュメント管理サーバ１３に送信すると共に、ドキュメント管理サーバ１３から受信した、ドキュメントＩＤに対応したＤＴＰデータ１ｂを、座標変換部３０ａおよび特定情報選択部４０ａに送る。
【０２３８】
特定情報選択部４０ａは、座標変換部３０ａから受け取ったｘｙ座標値と、通信部５０から受け取ったＤＴＰデータ１ｂとを用いて、ＤＴＰデータ１ｂ内の特定情報を選択し、選択した特定情報を出力する。
【０２３９】
ドキュメント管理サーバ１３は、ドキュメント管理部２０ａ（２次元書式情報保管選択手段）と通信部５１（通信手段）とを備える。ドキュメント管理部２０ａの機能は、第１の実施形態におけるドキュメント管理部２０と同じである。
【０２４０】
なお、前記構成では、ドキュメント管理部２０ａは、ドキュメント管理サーバ１３上にのみ備えられているが、第１の実施形態と同様に、ドキュメント管理部２０が情報入力装置５ａにも備えられていてもよい。
【０２４１】
この場合、ドキュメント管理部２０内のＤＴＰデータを先に検索し、必要なＤＴＰデータ１ｂが検索されれば、改めてネットワーク上のドキュメント管理サーバ１３にアクセスする必要が無くなるので、ネットワーク上のトラフィックを軽減するとともに、処理を高速化できる。また、ドキュメント管理部２０が、ドキュメント管理部２０ａから取得したＤＴＰデータ１ｂをキャッシュする構成としてもよい。
＜情報入力処理の手順について＞
【０２４２】
情報入力装置５ａが行う情報入力処理の手順について説明する。以下の説明における各ステップＳ１０ａからＳ４０ａの処理は、図２０に示すフローチャートのＳ１０からＳ４０のそれぞれに対応するものである。なお、以下では、１つのドットコードがＸＹ座標値およびコード値の両方を含む場合について説明する。
【０２４３】
まず、ユーザがスキャナ４ａを用いて所望の特定情報を指定する操作を行うと、スキャナ４ａが、ユーザがスキャナ４ａを用いてタッチした、印刷物１ａ上の箇所に印刷されているドットパターン３を読み取る。読み取られたドットパターン３は、スキャナ４ａの中央処理装置において、解析ソフトウェアによりドットコードに変換される。スキャナ４は、変換したドットコードのうち、ドキュメントＩＤ部分を、通信部５０および５１を介して、ドキュメント管理サーバ上のドキュメント管理部２０ａに送り、ＸＹ座標値部分を座標変換部３０に送る（Ｓ１０ａ）。
【０２４４】
次に、ドキュメント管理部２０ａが、スキャナ４ａから受け取ったドキュメントＩＤを用いて、予め保管されているＤＴＰデータの中から、そのドキュメントＩＤに対応するＤＴＰデータ１ｂを選択する。そして選択したＤＴＰデータ１ｂを、通信部５１および５０を介して、座標変換部３０ａおよび特定情報選択部４０ａに送る（Ｓ２０ａ）。
【０２４５】
次に、座標変換部３０ａが、スキャナ４ａから受け取ったＸＹ座標系の座標値（Ｘｔ，Ｙｔ）を、ドキュメント管理部２０ａから受け取ったＤＴＰデータ１ｂ内のｘｙ座標系における座標値（ｘｔ，ｙｔ）に変換する（Ｓ３０ａ）。
【０２４６】
次に、特定情報選択部４０ａが、座標変換部３０ａから受け取った座標値（ｘｔ，ｙｔ）に基づき、ドキュメント管理部２０ａから受け取ったＤＴＰデータ１ｂ内の特定情報のうち、適切な特定情報を選択する（Ｓ４０ａ）。特定情報選択部４０ａは、選択した特定情報を、他の機器の入力となるように、または情報入力装置５ａにおいて行われる次の任意の処理の入力となるように、出力する。
＜コンテンツおよびドットパターンの印刷について＞
【０２４７】
情報入力装置５ａは、さらに印刷部（図示せず）（印刷手段）を備え、新たに取得したＤＴＰデータ１ｂを、ドットパターン３と共に、媒体上に印刷できる構成でもよい。ドットパターン３のドットコードには、ＸＹ座標値に加えて、新たに取得したＤＴＰデータ１ｂを識別するドキュメントＩＤが含まれていることが望ましい。
【０２４８】
この構成によると、新たに取得したＤＴＰデータ１ｂから、入力処理に用いる印刷物１ａを作成することが出来る。
［第３の実施形態］
【０２４９】
本発明に係る情報処理装置のうち、コンテンツと共にドットパターンが印刷された媒体を用い、かつＤＴＰデータをネットワーク上のサーバから取得して特定情報の入力を行い、その特定情報の関連情報を検索し、表示する情報処理装置の一実施形態について、図２５から図２７に基づいて説明すると、以下の通りである。
【０２５０】
なお、以下では、第１および第２の実施形態と異なる箇所のみを説明し、同様の箇所に関しては説明を省略する。
＜情報処理装置１２および情報処理システムの構成について＞
【０２５１】
図２３において、本実施形態に係る情報処理装置１２の機能ブロック図を示す。情報処理装置１２は、スキャナ４ａと、座標変換部３０ａと、特定情報選択部４０ｂと、通信部５０ｂと、関連情報検索部６０（関連情報検索手段）と、表示部７０とを備えている。情報処理装置１２の具体例として、例えばパーソナルコンピュータが挙げられる。
【０２５２】
なお、情報処理装置１２は、ＰＤＡ、テレビ受信装置、フロントプロジェクタ、リアプロジェクタ、ゲーム装置、カラオケ装置、携帯電話端末装置、ＰＯＳ端末装置、ＡＴＭ、ＫＩＯＳＫ端末、カーナビ、パチンコ、時計、スマートフォン等であってもよい。
【０２５３】
また、本実施形態に係る情報処理システムは、情報処理装置１２と、ドキュメント管理サーバ１３と、辞書サーバ１４と、これらを接続するネットワークとから構成される。
【０２５４】
情報処理装置１２において、スキャナ４ａは、タッチ位置のドットパターン３を読み込み、ドットコードのうちドキュメントＩＤ部分を通信部５０ｂに送り、ドットコードのうちＸＹ座標値部分を座標変換部３０ａに送る。
【０２５５】
通信部５０ｂは、スキャナ４ａから受け取ったドキュメントＩＤをドキュメント管理サーバ１３に送信すると共に、ドキュメント管理サーバ１３から受信した、ドキュメントＩＤに対応したＤＴＰデータ１ｂを、座標変換部３０ａおよび特定情報選択部４０ｂに送る。また、通信部５０ｂは、関連情報検索部６０から受け取った特定情報を辞書サーバ１４に送信すると共に、送信した特定情報を基に辞書サーバ１４において検索された特定情報の関連情報を、辞書サーバ１４から受信し、関連情報検索部６０に渡す。
【０２５６】
特定情報選択部４０ｂは、座標変換部３０ａから受け取ったｘｙ座標値と、通信部５０ｂから受け取ったＤＴＰデータ１ｂとを用いて、ＤＴＰデータ１ｂ内の特定情報を選択し、選択した特定情報を関連情報検索部６０に出力する。
【０２５７】
関連情報検索部６０は、特定情報選択部４０ｂから受け取った特定情報を、通信部５０ｂを介して辞書サーバ１４に送り、検索結果である関連情報を辞書サーバ１４から通信部５０ｂを介して受け取り、受け取った関連情報を表示部７０に出力する。
【０２５８】
なお、本実施の形態では、関連情報検索部６０は、ネットワーク上の１または複数の辞書サーバ１４を検索する構成としているが、ネットワーク上の辞書サーバ１４に代わる機能として、予め設定されたリンクテーブル、データベース、および／または電子辞書を情報処理装置１２内に備え、関連情報検索部６０は、ネットワークにアクセスすること無しに関連情報の検索を行ってもよい。
【０２５９】
なお、辞書サーバ１４の例としては、汎用リンクテーブル、汎用データベース、汎用電子辞書などが挙げられる。
【０２６０】
表示部７０は、関連情報検索部６０から受け取った関連情報を、ディスプレイ等を用いてユーザに提示する。
【０２６１】
なお、前記の構成では、情報処理装置１２に備えられた関連情報検索部６０が、辞書サーバ１４と通信を行い、関連情報を取得しているが、この構成に代えて、ドキュメント管理サーバ１３が、関連情報検索部６０を備えていてもよい。この場合、特定情報選択部４０ｂは、選択した特定情報を、通信部を介してドキュメント管理サーバ１３上の関連情報検索部６０に送信する。関連情報検索部６０は、辞書サーバ１４と通信を行い、選択された特定情報の関連情報を取得し、情報処理装置１２に送信する。
【０２６２】
辞書サーバ１４には、テキストやイラスト、写真等を示すデータファイルに対応する説明やＵＲＬ、マルチメディア情報等の関連情報が格納されている。辞書サーバ１４では、選択された特定情報であるテキストやイラスト、写真等の関連情報を示すデータファイルが検索される。辞書サーバ１４は、ウィキペディア、ヤフー、グーグル等の検索エンジンまたは会員制の専門データベースであってもよい。
＜情報処理の手順について＞
【０２６３】
図２４に示すフローチャートおよび図２７に基づき、情報処理装置１２が行う情報処理の手順について説明する。なお、以下では、１つのドットコードがＸＹ座標値およびコード値の両方を含む場合であり、かつ印刷物１ａ上の語句「東京」２ａに対応したＤＴＰデータ１ｂ内の特定情報には選択用位置情報として予め中心座標値（ｘｉ，ｙｉ）が設定されている場合について説明する。
【０２６４】
まず、ユーザがスキャナ４ａを用いて所望の特定情報を指定する操作を行うと、スキャナ４ａが、ユーザがスキャナ４ａを用いてタッチした、印刷物１ａ上の箇所に印刷されているドットパターン３を読み取る。読み取られたドットパターン３は、スキャナ４ａの中央処理装置において、解析ソフトウェアによりドットコードに変換される。スキャナ４ａは、変換したドットコードのうち、ドキュメントＩＤ部分を、通信部５０ｂおよび５１を介して、ドキュメント管理サーバ１３上のドキュメント管理部２０ａに送り、ＸＹ座標値部分を座標変換部３０に送る（Ｓ１０ａ）。
【０２６５】
次に、ドキュメント管理部２０ａが、スキャナ４ａから受け取ったドキュメントＩＤを用いて、予め保管されているＤＴＰデータの中から、そのドキュメントＩＤに対応するＤＴＰデータ１ｂを選択する。そして選択したＤＴＰデータ１ｂを、通信部５１および５０ｂを介して、座標変換部３０ａおよび特定情報選択部４０ｂに送る（Ｓ２０ａ）。
【０２６６】
次に、座標変換部３０ａが、スキャナ４ａから受け取ったＸＹ座標系の座標値（Ｘｔ，Ｙｔ）を、ドキュメント管理部２０ａから受け取ったＤＴＰデータ１ｂ内のｘｙ座標系における座標値（ｘｔ，ｙｔ）に変換し、特定情報選択部４０ｂに渡す（Ｓ３０ａ）。
【０２６７】
次に、特定情報選択部４０ｂが、座標変換部３０ａから受け取った座標値（ｘｔ，ｙｔ）に基づき、ドキュメント管理部２０ａから受け取ったＤＴＰデータ１ｂ内の特定情報のうち、適切な特定情報を選択する。特定情報選択部４０ｂは、選択した特定情報を関連情報検索部６０へ渡す（Ｓ４０ａ）。
【０２６８】
例えば、タッチ位置の座標値（ｘｔ，ｙｔ）から、ＤＴＰデータ１ｂ内の他の特定情報の中心座標値（ｘｉ，ｙｉ）までの距離よりも、タッチ位置の座標値（ｘｔ，ｙｔ）から、語句「東京」２ａの中心座標値（ｘｉ，ｙｉ）までの距離の方が短いことから、語句「東京」２ａが、情報処理装置１２への入力として選択される。
【０２６９】
次に、関連情報検索部６０が、特定情報選択部４０ｂから受け取った特定情報を、通信部５０ｂを介して、辞書サーバ１４に送信し、辞書サーバにおいて検索された、特定情報の関連情報を、通信部５０ｂを介して、辞書サーバ１４から受信する。そして、関連情報検索部６０は、受信した関連情報を、表示部７０を介して、ユーザに提示する（Ｓ５０ａ）。
【０２７０】
図２５に示す例では、語句「東京」２ａがネットワークを介して辞書サーバ１４に送信される。辞書サーバ１４上では、見出し語「東京」に対応した説明文「東京とは」が検索され、情報処理装置１２に返信される。情報処理装置１２の画面上には、語句「東京」２ａに対応した関連情報である説明文「東京とは」が、画面上に表示される。
【０２７１】
なお、関連情報は、テキスト以外に、イラストや写真等を示すデータファイルであってもよい。
［第４の実施形態］
【０２７２】
本発明に係る情報処理装置のうち、コンテンツと共にドットパターン３が表示されたディスプレイを用いる一実施形態について、図２６から図３０に基づいて説明すると、以下の通りである。
【０２７３】
なお、第１の実施形態における情報入力装置５、第２の実施形態における情報入力装置５ａ、および第３の実施形態における情報処理装置１２においては、印刷物１ａを用いた。本実施形態では、印刷物１ａに代わりディスプレイを用いる例を説明するにあたり、情報処理装置１２を変形した例として、情報処理装置１２ｂを挙げて説明する。情報入力装置５および情報入力装置５ａを、印刷物１ａに代わりディスプレイを用いる構成に変形する方法は、同様なので説明を省略する。
【０２７４】
また、以下では、第３の実施形態と異なる箇所のみを説明し、同様の箇所に関しては説明を省略する。
＜概要＞
【０２７５】
図２６において、本実施形態の概要を例示する。
【０２７６】
図２６において示すように、まずユーザは、Ｗｅｂサーバ１３ｂ（２次元書式情報サーバ）から適当なコンテンツをダウンロードし、情報処理装置１２ｂの画面１５上に表示させる。
【０２７７】
次に、ユーザは、コンテンツと共にドットパターン３が表示されたディスプレイ１５上の、情報処理装置１２ｂを用いて検索したい情報に、スキャナ４ｂを用いてタッチする。
【０２７８】
この例では、ユーザは、ディスプレイ１５上に表示されたコンテンツのうち、語句「東京」２ａに関する関連情報を検索したいので、ディスプレイ１５上に表示された語句「東京」２ａを、スキャナ４ｂによりタッチしている。
【０２７９】
ドットパターン３には、予めディスプレイ１５のＸＹ座標値が、コード化されており、ユーザがディスプレイ１５上をスキャナ４ｂによりタッチすると、タッチ位置のディスプレイ１５上のＸＹ座標系における座標値（Ｘｔ，Ｙｔ）が、情報処理装置１２ｂに読み込まれる。
【０２８０】
情報処理装置１２ｂは、読み込まれたＸＹ座標値と、Ｗｅｂサーバ１３ｂからダウンロードし表示しているコンテンツのコンテンツデータ１ｄ（２次元書式情報）とを用いて、タッチ位置にある特定情報を認識する。
【０２８１】
図に示すように、コンテンツファイル内のコンテンツデータは、独自のｘｙ座標系を持つ。コンテンツデータに含まれる、テキスト、図表、イラスト、写真等の特定情報には、これらを選択するために用いられる選択用位置情報が設定されている。
【０２８２】
例えば、語句「東京」２ａには、対応するマスク領域２ｂおよび／または中心座標値（ｘｉ，ｙｉ）が設定されている。
【０２８３】
例えば、タッチ位置の座標値（ｘｔ，ｙｔ）がマスク領域２ｂに含まれることにより、コンテンツデータ１ｄに含まれる多くの特定情報のうち、語句「東京」２ａが、選択される。
【０２８４】
情報処理装置１２ｂは、選択された語句「東京」２ａを用いて、辞書サーバ１４を検索する。検索結果である関連情報が辞書サーバ１４から情報処理装置１２ｂに返信され、ディスプレイ１５上に表示される。
【０２８５】
図２８に示す例では、検索結果として、語句「東京」２ａの関連情報である説明文「東京とは」が、ディスプレイ１５上に表示されている。
【０２８６】
このように、コンテンツ内の、ハイパーリンク等が設定されていない特定情報でも、ユーザがスキャナ４ｂによりタッチして指示することにより、情報処理装置１２ｂへの入力とすることが出来る。また、入力した特定情報の関連情報を検索し表示することが出来る。
＜ドットコードのフォーマットについて＞
【０２８７】
本実施形態におけるドットコードは、ＸＹ座標値のみを含むものでよい。コンテンツＩＤは、前記の実施形態におけるドキュメントＩＤに相当するものである。
【０２８８】
なお、ディスプレイ１５を複数持つ情報処理装置１２ｂの場合は、ディスプレイ１５を区別するために、コード値として、ディスプレイＩＤを含んだドットコードを用いることも出来る。
＜ディスプレイの構造について＞
【０２８９】
ディスプレイ１５は、一般的なディスプレイを用いて、ＲＧＢ値を調整することにより、ドットパターン３のドットを表示してもよいし、ディスプレイ１５の画素とは別に、ドットパターン３を表すドット部をディスプレイ１５上に配列して設けてもよい。
【０２９０】
本実施の形態等の説明においては、ドット等を「表示する」との表現を用いているが、前記の説明の通り、この表現には、「ドット部をディスプレイ１５上に配列して設ける」という場合も含まれる。
【０２９１】
図２７において、画素とは別にドット部を設けた有機ＥＬディスプレイの断面図を示す。図２７（ａ）は、ドット部に入射した赤外線が、透過または吸収される様子を示す図であり、図２７（ｂ）は、ドット部以外の発光素子に赤外線が入射し、拡散反射される様子を示す図である。
【０２９２】
このように、発光素子の部分とドット部とにおいて赤外線反射特性を異ならせることにより、ドットパターンを表現することが出来る。
【０２９３】
図２８において、ディスプレイ１５の変形例として、フロントプロジェクタまたはリアプロジェクタのスクリーンにドット部を設ける例を示す。図２８（ａ）は、ドット部に入射した赤外線が、透過または吸収される様子を示す図であり、図２８（ｂ）は、ドット部以外のスクリーン部分に赤外線が入射し、拡散反射される様子を示す図である。
＜コンテンツデータについて＞
【０２９４】
コンテンツデータの例として、ＨＴＭＬ、ＸＭＬ、フラッシュ等により作成されたものが挙げられる。もちろん、前記の実施形態において例示したＤＴＰデータもコンテンツデータとして扱うことが出来る。
＜情報処理装置１２ｂおよび情報処理システムの構成について＞
【０２９５】
図２９において、本実施形態に係る情報処理装置１２ｂの機能ブロック図を示す。情報処理装置１２ｂは、スキャナ４ｂと、座標変換部３０ｂと、特定情報選択部４０ｃと、通信部５０ｃと、関連情報検索部６０と、表示部７０ｂと、ディスプレイ１５と、コンテンツ取得部８０とを備えている。情報処理装置１２ｂの具体例として、例えばパーソナルコンピュータが挙げられる。
【０２９６】
また、本実施形態に係る情報処理システムは、情報処理装置１２ｂと、Ｗｅｂサーバ１３ｂと、辞書サーバ１４と、これらを接続するネットワークとから構成される。
【０２９７】
情報処理装置１２ｂにおいて、コンテンツ取得部８０は、通信部５０ｃを介して、Ｗｅｂサーバ１３ｂにコンテンツ要求を送信し、Ｗｅｂサーバ１３ｂから返信されたコンテンツデータ１ｄを、通信部５０ｃを介して受け取り、受け取ったコンテンツデータ１ｄを、表示部７０ｂおよびディスプレイ１５を介して、ユーザに提示する。
【０２９８】
スキャナ４ｂは、タッチ位置のドットパターン３を読み込み、ドットコードのＸＹ座標値を座標変換部３０ｂに送る。
【０２９９】
座標変換部３０ｂは、スキャナ４ｂから受け取ったＸＹ座標値（Ｘｔ，Ｙｔ）を、コンテンツ取得部８０から受け取ったコンテンツデータ１ｄを用いて、コンテンツデータ１ｄ上のｘｙ座標系におけるタッチ位置の座標値（ｘｔ，ｙｔ）に変換し、変換した座標値（ｘｔ，ｙｔ）を特定情報選択部４０ｃに送る。
【０３００】
特定情報選択部４０ｃは、座標変換部３０ｂから受け取ったｘｙ座標値と、コンテンツ取得部８０から受け取ったコンテンツデータ１ｄとを用いて、コンテンツデータ１ｄ内の特定情報を選択し、選択した特定情報を関連情報検索部６０に出力する。
【０３０１】
関連情報検索部６０は、特定情報選択部４０ｃから受け取った特定情報を、通信部５０ｃを介して辞書サーバ１４に送り、検索結果である関連情報を辞書サーバ１４から通信部５０ｃを介して受け取り、受け取った関連情報を表示部７０ｂおよびディスプレイ１５を介してユーザに提示する。
【０３０２】
通信部５０ｃは、コンテンツ取得部８０から受け取ったコンテンツ要求をＷｅｂサーバ１３ｂに送信すると共に、Ｗｅｂサーバ１３ｂから受信した、コンテンツ要求に対応したコンテンツデータ１ｄを、表示部７０ｂ、座標変換部３０ｂおよび特定情報選択部４０ｃに送る。また、通信部５０ｃは、関連情報検索部６０から受け取った特定情報を辞書サーバ１４に送信すると共に、送信した特定情報を基に辞書サーバ１４において検索された特定情報の関連情報を、辞書サーバ１４から受信し、関連情報検索部６０に渡す。
【０３０３】
表示部７０ｂは、コンテンツ取得部８０から受け取ったコンテンツデータ１ｄと、関連情報検索部６０から受け取った関連情報とを、ディスプレイ１５を介してユーザに提示する。
【０３０４】
なお、本構成例では、ディスプレイ１５の画面上に、赤外線を吸収するドット部が設けられている構成とするので、ドットパターン３をＲＧＢ値の調整により表示するための機能ブロックは設けられていない。
＜情報処理の手順について＞
【０３０５】
図３０に示すフローチャートに基づき、情報処理装置１２ｂが行う情報処理の手順について説明する。なお、以下では、ディスプレイ１５上に表示された語句「東京」２ａに対応したコンテンツデータ１ｄ内の特定情報には、選択用位置情報として予め中心座標値（ｘｉ，ｙｉ）が設定されている場合について説明する。
【０３０６】
まず、コンテンツ取得部８０が、コンテンツ要求を、通信部５０ｃを介して、Ｗｅｂサーバ１３ｂに送信し、Ｗｅｂサーバ１３ｂから、コンテンツ要求に対応したコンテンツデータ１ｄを、通信部５０ｃを介して受信する。コンテンツ取得部８０は、受信したコンテンツデータ１ｄを、表示部７０ｂを介して、ディスプレイ１５上に表示する（Ｓ５）。また、コンテンツ取得部８０は、表示中のコンテンツのコンテンツデータ１ｄを、座標変換部３０ｂおよび特定情報選択部４０ｃにも出力する。
【０３０７】
Ｓ５の処理は、具体的には、ユーザが一般的なＷｅｂブラウザを用いてネットサーフィンを行い、Ｗｅｂサーバ１３ｂからダウンロードしたコンテンツデータを、ユーザが閲覧している状態を表している。
【０３０８】
次に、ユーザがスキャナ４ｂを用いて所望の特定情報を指定する操作を行うと、スキャナ４ｂが、ユーザがスキャナ４ｂを用いてタッチした、ディスプレイ１５上の箇所に設定されているドットパターン３を読み取る。読み取られたドットパターン３は、スキャナ４ｂの中央処理装置において、解析ソフトウェアによりドットコードに変換される。スキャナ４ｂは、変換したドットコードのＸＹ座標値を座標変換部３０ｂに送る（Ｓ１０ｂ）。
【０３０９】
次に、座標変換部３０ｂが、スキャナ４ｂから受け取ったＸＹ座標系の座標値（Ｘｔ，Ｙｔ）を、コンテンツ取得部８０から受け取ったコンテンツデータ１ｄ内のｘｙ座標系における座標値（ｘｔ，ｙｔ）に変換し、特定情報選択部４０ｃに渡す（Ｓ３０ａ）。
【０３１０】
次に、特定情報選択部４０ｃが、座標変換部３０ｂから受け取った座標値（ｘｔ，ｙｔ）に基づき、コンテンツ取得部８０から受け取ったコンテンツデータ１ｄ内の特定情報のうち、適切な特定情報を選択する。特定情報選択部４０ｃは、選択した特定情報を関連情報検索部６０へ渡す（Ｓ４０ｂ）。
【０３１１】
例えば、タッチ位置の座標値（ｘｔ，ｙｔ）から、コンテンツデータ１ｄ内の他の特定情報の中心座標値（ｘｉ，ｙｉ）までの距離よりも、タッチ位置の座標値（ｘｔ，ｙｔ）から、語句「東京」２ａの中心座標値（ｘｉ，ｙｉ）までの距離の方が短いことから、語句「東京」２ａが、情報処理装置１２ｂへの入力として選択される。
【０３１２】
次に、関連情報検索部６０が、特定情報選択部４０ｃから受け取った特定情報を、通信部５０ｃを介して、辞書サーバ１４に送信し、辞書サーバにおいて検索された、特定情報の関連情報を、通信部５０ｃを介して、辞書サーバ１４から受信する。そして、関連情報検索部６０は、受信した関連情報を、表示部７０ｂおよびディスプレイ１５を介して、ユーザに提示する（Ｓ５０ａ）。
【０３１３】
図２６に示す例では、語句「東京」２ａがネットワークを介して辞書サーバ１４に送信される。辞書サーバ１４上では、見出し語「東京」に対応した説明文「東京とは」が検索され、情報処理装置１２ｂに返信される。情報処理装置１２ｂの画面上には、語句「東京」２ａに対応した関連情報である説明文「東京とは」が、画面上に表示される。
［第５の実施形態］
【０３１４】
本発明に係る情報処理装置のうち、ドットパターン３が印刷された透明シートを、通常の印刷物の印刷面に重ねて配置し用いる一実施形態について、図３１から図３５に基づいて説明すると、以下の通りである。なお、以下ではこの透明シートをグリッドシート１ｇ（情報入力補助シート）という。
【０３１５】
なお、以下の説明では、コンテンツと共にドットパターンが印刷された媒体を用い、かつＤＴＰデータをネットワーク上のサーバから取得して特定情報の入力を行い、その特定情報の関連情報を検索し、表示するという第３の実施形態と異なる箇所のみ説明を行う。
＜概要＞
【０３１６】
図３１において、本実施形態の概要を示す。
【０３１７】
まず、ユーザが、ドットパターン３が印刷されていない、通常の印刷物１ｅを特定するためのインデックスを情報処理装置１２ｃに入力する。入力方法は、ユーザがグリッドシート１ｇに印刷されたアイコン（後述）にタッチして印刷物１ｅを特定するインデックスを入力する方法でもよいし、ユーザがキーボード等を用いてインデックスを入力する方法でもよい。
【０３１８】
なお、インデックスは、ドキュメント管理サーバ１３において、ドキュメントＩＤに変換され、変換されたドキュメントＩＤを用いて、ドキュメント管理サーバ１３上のＤＴＰデータが検索されても良い。
【０３１９】
次に、ユーザは、印刷物１ｅの印刷面上に、グリッドシート１ｇを正確に重ねる。
【０３２０】
次に、ユーザは、グリッドシート１ｇを通して印刷面上の、関連情報を検索したい特定情報である、語句「東京」２ａを、スキャナ４ａを用いて、タッチする。
【０３２１】
次に、スキャナ４ａが、タッチ位置のグリッドシート１ｇ上のＸＹ座標系における座標値（Ｘｔ，Ｙｔ）を読み込む。
【０３２２】
インデックスとタッチ位置の座標値（Ｘｔ，Ｙｔ）とが情報処理装置１２ｃに入力された後の処理は、第３の実施形態における処理と同一である。
【０３２３】
このように、印刷物１ｅ上にグリッドシート１ｇを被せ、その上をスキャナ４ａによりタッチするだけで、印刷物１ｅ上のテキストやイラスト、写真等の詳細な説明（関連情報）を画面に表示させることが出来る。
【０３２４】
第１から第３の実施形態においては、印刷物１ａに、テキストやイラスト、写真等とドットパターン３とを重畳印刷し、ユーザが印刷物１ａをスキャナ４によりタッチし、タッチした特定情報に対応する関連情報を表示していた。
【０３２５】
しかし、この方法では、ドットパターン３が印刷されていない通常の印刷物１ｅを特定情報の入力に用いることは出来なかった。本実施形態では、印刷物１ｅにグリッドシート１ｇを被せて使用するため、既存の印刷物１ｅを対象とすることが出来る。また、グリッドシート１ｇは、複数の印刷物１ｅを対象として、１枚あれば共通して使用できるので、利便性が高まる。
＜グリッドシートについて＞
【０３２６】
図３２において、グリッドシート１ｇの表面の正面図を示す。
【０３２７】
グリッドシート１ｇには、ほぼ全域に、ＸＹ座標値を含んだドットパターン３が印刷されている。グリッドシート１ｇの下部には、０から９までの数字、「頁入力」、「中止」、および「決定」の文字が記載されたアイコンが、各アイコンに対応したコード値を含んだドットパターン３と共に、重畳印刷されている。これらのアイコンは、印刷物１ｅを特定するためインデックスを、ユーザがスキャナ４ａを用いて入力するためのアイコンである。
＜グリッドシートの使用方法について＞
【０３２８】
図３３は、ドットパターン３が片面にのみ印刷されたグリッドシート１ｇを、印刷物１ｅに重ねて使用する方法を示す図である。
【０３２９】
ユーザは、本や雑誌、新聞等の印刷物１ｅ上に、グリッドシート１ｇを被せて使用する。図３３（ａ）に示すように、向かって右側のページに使用する場合であっても、図３３（ｂ）に示すように、向かって左側のページに使用する場合であっても、ユーザは、シートの表側を上に向けて使用する。
＜グリッドシートの断面構造について＞
【０３３０】
図３４から図３５において、代表的なグリッドシート１ｇの断面図を示す。
【０３３１】
図３４に示すグリッドシート１ｇの内部構造は、裏側から順に、赤外線拡散反射層、ドットパターン層、保護層が積層された構造となっている。
【０３３２】
赤外線拡散反射層は、ドットパターン層側からの赤外線を拡散反射するとともに、可視光を透過する特性を有する。赤外線拡散反射層は、ビニール、塩ビペット、ポリプロピレン等、可視光線を透過する材料で生成された蒸着用透明シートに、赤外線拡散反射材料が蒸着された構成となっている。赤外線拡散反射層は、スキャナ４ａのＩＲ−ＬＥＤから照射され保護層を透過した赤外線を、スキャナ４ａに対して反射すると共に、可視光を透過する。
【０３３３】
なお、赤外線拡散反射層は、ドットパターン層と反対側（裏面側）からの赤外線も反射する特性を有していてもよい。このような特性を有するグリッドシート１ｇを、ディスプレイ画面等に装着すると、ディスプレイ画面やスクリーンからの赤外線を遮断し、ＩＲ−ＬＥＤから照射された赤外線光のみを反射光とすることが出来る。そのため、明るく鮮明なドットパターン３を撮影でき、ドットコードを正確に解析できる。
【０３３４】
ドットパターン層には、カーボンインク等の赤外線吸収特性材料からなるドットを所定の規則により配列したドットパターン３が印刷されている。
【０３３５】
保護層は、ビニール、塩ビペット、ポリプロピレン等、可視光線および赤外線を透過する材料で生成されている。ドットパターンを繰り返しスキャナでタッチすると、ドットが磨耗し、正確にドットパターンを読み取れなくなるという問題が生じる。そこで、保護層を設けることにより、ドットの磨耗と汚れを防ぎ、シートを長期間使用することが可能となる。
【０３３６】
図に示すように、ＩＲ−ＬＥＤから照射された赤外線は、まず、保護層を透過し、ドットパターン層のドット部で吸収されるか、またはドット以外の領域では透過する。次に、ドットパターン層を透過した赤外線は、赤外線拡散反射層において拡散反射する。
【０３３７】
図３５に示すグリッドシート１ｇの内部構造は、裏側から順に、赤外線拡散反射層、ドットパターン＋グラフィック印刷層、保護層が積層された構造となっている。
【０３３８】
このように、ドットパターン層またはその他の層において、赤外線透過材料または赤外線反射材料からなるインクを用いて、テキスト、イラスト、写真等が重畳印刷されていてもよい。テキスト、イラスト、写真等が重畳印刷されるグラフィック印刷層は、可視的な印刷層である。
［第６の実施形態］
【０３３９】
本発明に係る情報処理装置のうち、ドットパターン３が印刷されたグリッドシート１ｇを、通常のディスプレイ画面に重ねて配置し用いる一実施形態について、図３６に基づいて説明すると、以下の通りである。
【０３４０】
なお、以下の説明では、コンテンツと共にドットパターンが表示されたディスプレイを用いる第４の実施形態と異なる箇所のみ説明を行う。
＜概要＞
【０３４１】
図３６において、本実施形態の概要を示す。
【０３４２】
まず、ユーザが、グリッドシート１ｇを情報処理装置１２ｄのディスプレイ画面上に配置する。配置は、グリッドシート１ｇをディスプレイに貼付することにより行ってもよい。グリッドシート１ｇの配置後、キャリブレーション作業が行われることが望ましい。
【０３４３】
次に、ユーザは、Ｗｅｂブラウザ等を用いて、所望のコンテンツファイルをＷｅｂサーバ１３ｂから情報処理装置１２ｄにダウンロードする。ダウンロードされたコンテンツファイル内のコンテンツが、情報処理装置１２ｄの画面上に表示される。
【０３４４】
次に、ユーザは、ディスプレイ画面上配置されたグリッドシート１ｇを通して、画面上の、関連情報を検索したい特定情報である、語句「東京」２ａを、スキャナ４ａを用いて、タッチする。
【０３４５】
次に、スキャナ４ａが、タッチ位置のグリッドシート１ｇ上のＸＹ座標系における座標値（Ｘｔ，Ｙｔ）を読み込む。
【０３４６】
情報処理装置１２ｄは、読み込まれたＸＹ座標値と、Ｗｅｂサーバ１３ｂからダウンロードし表示しているコンテンツのコンテンツデータ１ｄとを用いて、タッチ位置にある特定情報を認識する。
【０３４７】
特定情報を認識した後の処理は、第４の実施形態における処理と同一である。
【０３４８】
このように、ディスプレイ画面上にグリッドシート１ｇを被せ、その上をスキャナ４ａによりタッチするだけで、ディスプレイ画面上のテキストやイラスト、写真等の詳細な説明（関連情報）を画面に表示させることが出来る。
［第７の実施形態］
【０３４９】
本発明に係る情報処理装置のうち、コンテンツと共にドットパターン３が表示されたディスプレイを備えたテレビジョン受像機を用いる一実施形態について、図３７から図３９に基づいて説明すると、以下の通りである。
【０３５０】
なお、第１の実施形態における情報入力装置５、第２の実施形態における情報入力装置５ａ、および第３の実施形態における情報処理装置１２においては、印刷物１ａを用いた。本実施形態では、印刷物１ａに代わりテレビ受像機のディスプレイを用いる例を説明するにあたり、情報処理装置１２を変形した例として、テレビ受像機１２ｅを挙げて説明する。情報入力装置５および情報入力装置５ａを、印刷物１ａに代わりディスプレイを用いる構成に変形する方法は、同様なので説明を省略する。
【０３５１】
また、以下では、第４の実施形態と異なる箇所のみを説明し、同様の箇所に関しては説明を省略する。
＜概要＞
【０３５２】
図３７において、本実施形態の概要を示す。
【０３５３】
図３７において示すように、まずユーザは、テレビ受像機１２ｅを用いて、通常の画像にドットパターン３が重ね合わされた放送電波を受信し、ディスプレイ１５上に受信画像を表示する。そして、ユーザは、受信画像と共にドットパターン３が表示されたディスプレイ１５上の、テレビ受像器１２ｅに入力し検索したい情報に、スキャナ４ｃを用いてタッチする。
【０３５４】
この例では、ユーザは、ディスプレイ１５上に表示された受信画像のうち、語句「東京」２ａに関する関連情報を検索したいので、ディスプレイ１５上に表示された語句「東京」２ａを、スキャナ４ｃによりタッチしている。
【０３５５】
ドットパターン３には、ディスプレイ１５のＸＹ座標値と受信画像を特定するコンテンツＩＤとが、コード化されており、ユーザがディスプレイ１５上をスキャナ４ｃによりタッチすると、タッチ位置のディスプレイ１５上のＸＹ座標系における座標値（Ｘｔ，Ｙｔ）とコンテンツＩＤとが、テレビ受像器１２ｅに読み込まれる。
【０３５６】
テレビ受像器１２ｅは、読み込まれたコンテンツＩＤを用いて、コンテンツサーバ１３ｃ（２次元書式情報サーバ）から、予め特定情報および選択用位置情報が設定されたコンテンツデータのうち、コンテンツＩＤに対応したコンテンツデータ１ｄをダウンロードする。そして、読み込まれたＸＹ座標値とダウンロードしたコンテンツデータ１ｄとを用いて、タッチ位置にある特定情報を選択する。
【０３５７】
図に示すように、コンテンツファイル内のコンテンツデータは、独自のｘｙ座標系を持つ。コンテンツデータに含まれる、テキスト、図表、イラスト、写真等の特定情報には、これらを選択するために用いられる選択用位置情報が設定されている。
【０３５８】
例えば、語句「東京」２ａには、対応するマスク領域２ｂおよび／または中心座標値（ｘｉ，ｙｉ）が設定されている。
【０３５９】
例えば、タッチ位置の座標値（ｘｔ，ｙｔ）がマスク領域２ｂに含まれることにより、コンテンツデータ１ｄに含まれる多くの特定情報のうち、語句「東京」２ａが、選択される。
【０３６０】
テレビ受像器１２ｅは、選択された語句「東京」２ａを用いて、辞書サーバ１４を検索する。検索結果である関連情報が辞書サーバ１４からテレビ受像器１２ｅに返信され、ディスプレイ１５上に表示される。
【０３６１】
図３７に示す例では、検索結果として、語句「東京」２ａの関連情報である説明文「東京とは」が、ディスプレイ１５上に表示されている。
【０３６２】
このように、放送波から受信した画像内の、ハイパーリンク等が設定されていない特定情報でも、ユーザがスキャナ４ｃによりタッチして指示することにより、テレビ受像器１２ｅへの入力とすることが出来る。また、入力した特定情報の関連情報を検索し表示することが出来る。
＜ドットコードのフォーマットについて＞
【０３６３】
前記の概要説明では、本実施形態におけるドットパターン３のドットコードは、放送波としてテレビ受像機１２ｅに受信されたコンテンツを識別するコンテンツＩＤとＸＹ座標値とを含むものとした。これ以外に、テレビ受像機１２ｅ自身により生成されたＸＹ座標値と、テレビ受像機１２ｅが入手したＥＰＧ（Electronic Program Guide）データから取得したコンテンツＩＤとからドットコードおよびドットパターン３が生成され、ディスプレイ１５上に表示される構成でもよい。
【０３６４】
また、ディスプレイ１５上に表示されるドットパターン３のドットコードは、ＸＹ座標値のみを含むものでよい。その場合、ドットパターン３は、ＲＧＢの画素により表現される構成に代わり、ディスプレイ１５上に画素と並んでドットパターン３のドット部が予め固定的に設けられている構成でもよい。
【０３６５】
なお、ディスプレイ１５上に表示されるドットパターン３のドットコードがコンテンツＩＤを含まない構成では、コンテンツＩＤは、コンテンツＩＤがドットパターン３として印刷されたテレビガイド等の印刷媒体の該当箇所をスキャナ４ｃによりタッチすることで読み込まれる構成でもよいし、ユーザがペーパーキーボードとスキャナ４ｃと用いて手入力により入力される構成でもよい。
【０３６６】
ディスプレイ１５上に表示されるコンテンツＩＤは、ドットパターン３のＸＹ座標値が表示されている領域の少なくとも一部に、ドットパターン３のＸＹ座標値と共に表示されてもよいし、その領域とは異なる領域に表示されてもよい。
【０３６７】
また、ディスプレイ１５上に表示されるコンテンツＩＤは、コンテンツデータを一意に識別する、ドットパターン３のＸＹ座標値であり、このＸＹ座標値は、ドットパターン３のＸＹ座標値が表示される領域の全体に表示される構成でもよい。
＜コンテンツデータについて＞
【０３６８】
コンテンツデータの例として、ＭＰＥＧなどの動画データ、および、ＨＴＭＬ、ＸＭＬ、フラッシュ等により作成されたものが挙げられる。もちろん、前記の実施形態において例示したＤＴＰデータもコンテンツデータとして扱うことが出来る。
【０３６９】
コンテンツデータは、２次元の書式情報を含むものが基本であるが、これに加え、ＭＰＥＧデータなどは、時間軸を含んだ３次元の書式情報を持ってもよい。また、３次元立体画像データであれば、ディスプレイ１５に向かって前後方向のＺ軸を含んだ３次元の書式情報を持ってもよい。さらに、３次元立体画像の動画データであれば、ＸＹＺ軸および時間軸を持った４次元の書式情報を持ってもよい。
＜テレビ受像機１２ｅおよび情報処理システムの構成について＞
【０３７０】
図３８において、本実施形態に係るテレビ受像機１２ｅの機能ブロック図を示す。テレビ受像機１２ｅは、スキャナ４ｃと、座標変換部３０ｃと、特定情報選択部４０ｄと、通信部５０ｄと、関連情報検索部６０と、表示部７０ｃと、ディスプレイ１５と、テレビ受像部９０とを備えている。
【０３７１】
また、本実施形態に係る情報処理システムは、テレビ受像機１２ｅと、コンテンツサーバ１３ｃと、辞書サーバ１４と、これらを接続するネットワークとから構成される。
【０３７２】
テレビ受像機１２ｅにおいて、テレビ受像部９０は、放送波を受信する。受信画像に対して、放送波に含まれるかまたはＥＰＧ等から取得したコンテンツＩＤとディスプレイ画面上のＸＹ座標値とを組み合わせたドットパターン３を加え、表示部７０ｃおよびディスプレイ１５を介して、ユーザに提示する。なお、ドットパターン３を受信画像に加えるのは、ユーザがスキャナ４ｃを使用する時のみとする構成でもよい。
【０３７３】
スキャナ４ｃは、タッチ位置のドットパターン３を読み込み、ドットコードのＸＹ座標値を座標変換部３０ｃに送り、ドットコードのコンテンツＩＤを、通信部５０ｄを介して、コンテンツサーバ１３ｃに送る。なお、コンテンツＩＤは、一度ドットパターン３に変換されスキャナ４ｃにより読み込む代わりに、スキャナ４ｃがＸＹ座標値を読み込む際に、テレビ受像部９０から直接、コンテンツサーバ１３ｃに送られる構成でもよい。
【０３７４】
座標変換部３０ｃは、スキャナ４ｃから受け取ったタッチ位置のＸＹ座標値（Ｘｔ，Ｙｔ）を、通信部５０ｄを介してコンテンツサーバ１３ｃから受け取ったコンテンツデータ１ｄを用いて、コンテンツデータ１ｄ上のｘｙ座標系におけるタッチ位置の座標値（ｘｔ，ｙｔ）に変換し、変換した座標値（ｘｔ，ｙｔ）を特定情報選択部４０ｄに送る。
【０３７５】
特定情報選択部４０ｄは、座標変換部３０ｃから受け取ったｘｙ座標値と、通信部５０ｄを介してコンテンツサーバ１３ｃから受け取ったコンテンツデータ１ｄとを用いて、コンテンツデータ１ｄ内の特定情報を選択し、選択した特定情報を関連情報検索部６０に出力する。
【０３７６】
関連情報検索部６０は、特定情報選択部４０ｄから受け取った特定情報を、通信部５０ｄを介して辞書サーバ１４に送り、検索結果である関連情報を辞書サーバ１４から通信部５０ｄを介して受け取り、受け取った関連情報を表示部７０ｃおよびディスプレイ１５を介してユーザに提示する。
【０３７７】
通信部５０ｄは、スキャナ４ｃから受け取ったコンテンツＩＤをコンテンツサーバ１３ｃに送信すると共に、コンテンツサーバ１３ｃから受信した、コンテンツＩＤに対応したコンテンツデータ１ｄを、座標変換部３０ｃおよび特定情報選択部４０ｄに送る。また、通信部５０ｄは、関連情報検索部６０から受け取った特定情報を辞書サーバ１４に送信すると共に、送信した特定情報を基に辞書サーバ１４において検索された特定情報の関連情報を、辞書サーバ１４から受信し、関連情報検索部６０に渡す。
【０３７８】
表示部７０ｃは、テレビ受像部９０から受け取った、ドットパターン３が加えられた受信画像と、関連情報検索部６０から受け取った関連情報とを、ディスプレイ１５を介してユーザに提示する。
＜情報処理の手順について＞
【０３７９】
図３９に示すフローチャートに基づき、テレビ受像機１２ｅが行う情報処理の手順について説明する。なお、以下では、ディスプレイ１５上に表示された語句「東京」２ａに対応したコンテンツデータ１ｄ内の特定情報には、選択用位置情報として予め中心座標値（ｘｉ，ｙｉ）が設定されている場合について説明する。
【０３８０】
まず、テレビ受像部９０が、放送波を受信し、放送波またはインターネット等から取得したコンテンツＩＤとディスプレイ１５の画面上のＸＹ座標値とを含んだドットパターン３を受信画像に重ねて、表示部７０ｃを介して、ディスプレイ１５上に表示する（Ｓ５ｂ）。
【０３８１】
次に、ユーザがスキャナ４ｃを用いて所望の特定情報を指定する操作を行うと、スキャナ４ｃが、ユーザがスキャナ４ｃを用いてタッチした、ディスプレイ１５上の箇所に設定されているドットパターン３を読み取る。読み取られたドットパターン３は、スキャナ４ｃの中央処理装置において、解析ソフトウェアによりドットコードに変換される。スキャナ４ｃは、変換したドットコードのＸＹ座標値を座標変換部３０ｃに送ると共に、変換したドットコードのコンテンツＩＤを、通信部５０ｄを介して、コンテンツサーバ１３ｃに送信する（Ｓ１０ｃ）。
【０３８２】
次に、コンテンツサーバ１３ｃが、スキャナ４ｃから受け取ったコンテンツＩＤを用いて、予め保管されているコンテンツデータの中から、そのコンテンツＩＤに対応するコンテンツデータ１ｄを選択する。そして選択したコンテンツデータ１ｄを、通信部５０ｄを介して、座標変換部３０ｃおよび特定情報選択部４０ｄに送る（Ｓ２０ｂ）。
【０３８３】
次に、座標変換部３０ｃが、スキャナ４ｃから受け取ったＸＹ座標系の座標値（Ｘｔ，Ｙｔ）を、コンテンツサーバ１３ｃから取得したコンテンツデータ１ｄ内のｘｙ座標系における座標値（ｘｔ，ｙｔ）に変換し、特定情報選択部４０ｄに渡す（Ｓ３０ａ）。
【０３８４】
次に、特定情報選択部４０ｄが、座標変換部３０ｃから受け取った座標値（ｘｔ，ｙｔ）に基づき、コンテンツサーバ１３ｃから受け取ったコンテンツデータ１ｄ内の特定情報のうち、適切な特定情報を選択する。特定情報選択部４０ｄは、選択した特定情報を関連情報検索部６０へ渡す（Ｓ４０ｂ）。
【０３８５】
例えば、タッチ位置の座標値（ｘｔ，ｙｔ）から、コンテンツデータ１ｄ内の他の特定情報の中心座標値（ｘｉ，ｙｉ）までの距離よりも、タッチ位置の座標値（ｘｔ，ｙｔ）から、語句「東京」２ａの中心座標値（ｘｉ，ｙｉ）までの距離の方が短いことから、語句「東京」２ａが、テレビ受像機１２ｅへの入力として選択される。
【０３８６】
次に、関連情報検索部６０が、特定情報選択部４０ｄから受け取った特定情報を、通信部５０ｄを介して、辞書サーバ１４に送信し、辞書サーバ１４において検索された、特定情報の関連情報を、通信部５０ｄを介して、辞書サーバ１４から受信する。そして、関連情報検索部６０は、受信した関連情報を、表示部７０ｃおよびディスプレイ１５を介して、ユーザに提示する（Ｓ５０ａ）。
【０３８７】
図３７に示す例では、語句「東京」２ａがネットワークを介して辞書サーバ１４に送信される。辞書サーバ１４上では、見出し語「東京」に対応した説明文「東京とは」が検索され、テレビ受像機１２ｅに返信される。テレビ受像機１２ｅの画面上には、語句「東京」２ａに対応した関連情報である説明文「東京とは」が、画面上に表示される。
【０３８８】
なお、前記においては、コンテンツデータが予め解析され、特定情報および選択用位置情報が既に設定されている構成について説明したが、この構成に限らず、テレビ受像部９０が放送波を受信した段階またはユーザがスキャナ４ｃによりディスプレイ１５上のドットパターン３をタッチした段階において、特定情報選択部４０ｄが初めてタッチ位置の座標値（ｘｔ，ｙｔ）から所定の距離内にあるテキスト、図形、イラスト、写真等のコンテンツデータの解析を行い、特定情報の認識と選択用位置情報の設定とを行う構成でもよい。
【０３８９】
また、本実施形態では、情報処理装置の例として、テレビ受像機１２ｅを挙げたが、これ以外に、テレビ受像機は通常のものとし、追加で設置するセットトップボックスと組み合わせることにより、テレビ受像機１２ｅの機能が実現される構成としてもよい。
［補足事項］
【０３９０】
前記の実施形態においては、ユーザが位置を指示するために、ドットパターンが印刷された媒体、ドットパターンが表示または設けられたディスプレイ、または、ドットパターンが設けられたグリッドシートを、スキャナによりタッチしたが、座標位置の入力方法はこれらに限らず、通常のディスプレイ上に設けられた通常のタッチパネルやタッチスクリーン上を指でタッチする方法、または、通常のマウス操作による方法でもよい。
【０３９１】
前記情報入力装置は、前記タッチ位置の座標値（ｘｔ，ｙｔ）を用いて、前記特定情報を検索するために、前記のいずれか一項に記載の選択用位置情報の設定方法に基づく該特定情報の検索方法を、１または２以上割り当て、所定のアルゴリズムにより前記検索方法のいずれかを選択し、前記特定情報を検索することを特徴としてもよい。
【０３９２】
前記情報入力装置は、前記座標値（ｘｔ，ｙｔ）から任意の距離内において検索された複数の前記特定情報から、１または２以上の当該特定情報を選択し、前記特定情報の関連情報を予め設定されたリンクテーブル、データベース、または、電子辞書から検索し、該関連情報を出力することを特徴としてもよい。
【０３９３】
前記情報入力装置は、前記座標値（ｘｔ，ｙｔ）から任意の距離内において検索された複数の前記特定情報のうち、前記タッチ位置の座標値（ｘｔ，ｙｔ）が前記マスク内の全座標値（ｘｉａ，ｙｉａ）のいずれかの座標値と同一であることにより検索された該特定情報を、少なくとも1以上含む場合、該特定情報の選択用位置情報を前記マスクの図心とし、前記タッチ位置の座標値（ｘｔ，ｙｔ）から、複数検索された前記特定情報の選択用位置情報までの距離が最も近い該特定情報を検索するか、または該距離の近い順から該特定情報の候補を検索し、選択することを特徴としてもよい。
【０３９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０３９５】
最後に、情報入力装置５、５ａ、情報処理装置１２〜１２ｄ、およびテレビ受像機１２ｅの各ブロック、特に座標変換部３０〜３０ｃ、特定情報選択部４０〜４０ｄ、および関連情報検索部６０は、ハードウェアロジックによって構成してもよいし、次のようにＣＰＵを用いてソフトウェアによって実現してもよい。
【０３９６】
すなわち、情報入力装置５、５ａ、情報処理装置１２〜１２ｄ、およびテレビ受像機１２ｅは、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである情報入力装置５、５ａ、情報処理装置１２〜１２ｄ、およびテレビ受像機１２ｅの制御プログラムのプログラムコード（実行形式プログラム、中間コードプログラム、ソースプログラム）をコンピュータで読み取り可能に記録した記録媒体を、前記情報入力装置５、５ａ、情報処理装置１２〜１２ｄ、およびテレビ受像機１２ｅに供給し、そのコンピュータ（またはＣＰＵやＭＰＵ）が記録媒体に記録されているプログラムコードを読み出し実行することによっても、達成可能である。
【０３９７】
前記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３９８】
また、情報入力装置５、５ａ、情報処理装置１２〜１２ｄ、およびテレビ受像機１２ｅを通信ネットワークと接続可能に構成し、前記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【産業上の利用可能性】
【０３９９】
本発明に係る情報入力装置は、印刷媒体上に印刷された、または画面上に表示された、テキスト、図表、イラスト、写真等を、容易に入力できるパーソナルコンピュータ、ＰＤＡ、テレビ受信装置、フロントプロジェクタ、リアプロジェクタ、ゲーム装置、カラオケ装置、携帯電話端末装置、ＰＯＳ端末装置、ＡＴＭ、ＫＩＯＳＫ端末、カーナビ、パチンコ、パチスロ、時計、スマートフォン等として利用することができる。
【０４００】
また、本発明に係る情報処理装置は、印刷媒体上に印刷された、または画面上に表示された、テキスト、図表、イラスト、写真等の関連情報を容易に検索できるパーソナルコンピュータ、ＰＤＡ、テレビ受信装置、フロントプロジェクタ、リアプロジェクタ、ゲーム装置、カラオケ装置、携帯電話端末装置、ＰＯＳ端末装置、ＡＴＭ、ＫＩＯＳＫ端末、カーナビ、パチンコ、パチスロ、時計、スマートフォン等として利用することができる。
【符号の説明】
【０４０１】
１ａ          印刷物（媒体）
１ｂ          ＤＴＰデータ（２次元書式情報）
１ｃ          印刷媒体（媒体）
１ｄ          コンテンツデータ（２次元書式情報）
１ｇ          グリッドシート（情報入力補助シート）
２ａ          語句（特定情報）
２ｂ          マスク領域（選択用位置情報）
３            ドットパターン
４〜４ｃ      スキャナ（ドットパターン読み取り手段）
５〜５ａ      情報入力装置
６            キードット
７            情報ドット
８            基準格子点ドット
９            仮想格子点
９ａ〜９ｄ    仮想基準点
１２〜１２ｄ  情報処理装置
１２ｅ        テレビ受像機（情報処理装置）
１３          ドキュメント管理サーバ（２次元書式情報サーバ）
１３ｂ        Ｗｅｂサーバ（２次元書式情報サーバ）
１３ｃ        コンテンツサーバ（２次元書式情報サーバ）
１５          ディスプレイ
２０〜２０ａ  ドキュメント管理部（２次元書式情報保管選択手段）
３０〜３０ｂ  座標変換部（座標変換手段）
４０〜４０ｃ  特定情報選択部（特定情報選択手段）
５０〜５０ｃ  通信部（通信手段）
５１          通信部（通信手段）
６０      関連情報検索部（関連情報検索手段）
１０１        基準ドット
１０２        第一の仮想基準線
１０３        第二の仮想基準線
１０４        仮想基準点
１０５        情報ドット
【図１】
2012022415.tif 000003
【図２】
2012022415.tif 000004
【図３】
2012022415.tif 000005
【図４】
2012022415.tif 000006
【図５】
2012022415.tif 000007
【図６】
2012022415.tif 000008
【図７】
2012022415.tif 000009
【図８】
2012022415.tif 000010
【図９】
2012022415.tif 000011
【図１０】
2012022415.tif 000012
【図１１】
2012022415.tif 000013
【図１２】
2012022415.tif 000014
【図１３】
2012022415.tif 000015
【図１４】
2012022415.tif 000016
【図１５】
2012022415.tif 000017
【図１６】
2012022415.tif 000018
【図１７】
2012022415.tif 000019
【図１８】
2012022415.tif 000020
【図１９】
2012022415.tif 000021
【図２０】
2012022415.tif 000022
【図２１】
2012022415.tif 000023
【図２２】
2012022415.tif 000024
【図２３】
2012022415.tif 000025
【図２４】
2012022415.tif 000026
【図２５】
2012022415.tif 000027
【図２６】
2012022415.tif 000028
【図２７】
2012022415.tif 000029
【図２８】
2012022415.tif 000030
【図２９】
2012022415.tif 000031
【図３０】
2012022415.tif 000032
【図３１】
2012022415.tif 000033
【図３２】
2012022415.tif 000034
【図３３】
2012022415.tif 000035
【図３４】
2012022415.tif 000036
【図３５】
2012022415.tif 000037
【図３６】
2012022415.tif 000038
【図３７】
2012022415.tif 000039
【図３８】
2012022415.tif 000040
【図３９】
2012022415.tif 000041
【図４０】
2012022415.tif 000042
【図４１】
2012022415.tif 000043